(57)【要約】  本発明は、安定した組成物を製造できる次亜塩素酸および次亜塩素酸塩組成物を希釈するための方法に関するものである。本発明の組成物は、アレルゲンが付着した表面、硬質な表面、食物が接触する表面、病院内の表面、食物の表面、キッチンの表面、風呂の表面、人間の表面、動物の表面、軍事用の機器、輸送用の機器、子供の玩具、植物の表面、種、野外の表面、軟質な表面、空気、創傷、および医療用の機器を処理するために使用できる。【特許請求の範囲】
【請求項１】
安定希釈組成物を製造するための方法であって、
前記組成物が、次亜ハロゲン酸、次亜ハロゲン酸塩及びその混合物から成る群から選択されるものであり、
当該方法が、
（ａ）次亜ハロゲン酸、次亜ハロゲン酸塩、次亜ハロゲン酸生成種、次亜ハロゲン酸塩生成種、及びその混合物から成る群から選択される活性材料のソースを調製する工程、及び
（ｂ）前記安定希釈組成物を与えるために、前記ソースを純水で希釈する工程、
を含み、
（ｃ）前記安定希釈組成物が、１．０ｐｐｍと約１２００ｐｐｍとの間の範囲にある有効塩素量の濃度を有する、
ところの方法。
【請求項２】
安定希釈組成物を製造するための方法であって、
前記組成物が、次亜ハロゲン酸、次亜ハロゲン酸塩、及びその混合物から成る群から選択されるものであり、
当該方法が、
（ａ）有効塩素量として活性ハロゲン含有量が約０．５％以上の第一の溶液を調製する工程、及び
（ｂ）第二の溶液を与えるために、前記第一の溶液を純水で希釈する工程、
を含み、
（ｃ）前記第二の溶液が、１．０ｐｐｍと約１２００ｐｐｍとの間の範囲にある有効塩素量の濃度を有し、
（ｄ）前記第二の溶液が、保管温度７０°Ｆ、２７日にわたって、少なくとも９０％の有効塩素量の濃度を保持する、
ところの方法。
【請求項３】
請求項２の方法であって、
前記第二の溶液が、さらに、保管温度１２０°Ｆ、３０．７日にわたて、少なくとも７０％の有効塩素量の濃度を保持する、
ところの方法。
【請求項４】
請求項２の方法であって、
前記第二の溶液が、ｐＨ５以上、ｐＨ１０以下の範囲のｐＨを有する、
ところの方法。
【請求項５】
請求項２の方法であって、
前記第二の溶液が、ｐＨ５以上、ｐＨ９以下のｐＨを有する、
ところの方法。
【請求項６】
請求項２の方法であって、
前記第二の溶液が、ｐＨ５以上、ｐＨ８以下のｐＨを有する、
ところの方法。
【請求項７】
請求項２の方法であって、
前記第二の溶液が、ｐＨ５以上、ｐＨ７以下のｐＨを有する、
ところの方法。
【請求項８】
請求項２の方法であって、
前記第二の溶液が、ｐＨ６以上、ｐＨ８以下のｐＨを有する、
ところの方法。
【請求項９】
請求項２の方法であって、
前記第二の溶液が、８００ｐｐｍ以下の有効塩素量の濃度を有する、
ところの方法。
【請求項１０】
請求項２の方法であって、
前記第二の溶液が、５００ｐｐｍ以下の有効塩素量の濃度を有する、
ところの方法。
【請求項１１】
請求項２の方法であって、
前記第二の溶液が、２００ｐｐｍ以下の有効塩素量の濃度を有する、
ところの方法。
【請求項１２】
請求項２の方法であって、
前記第二の溶液が、１００ｐｐｍ以下の有効塩素量の濃度を有する、
ところの方法。
【請求項１３】
請求項２の方法であって、
前記第二の溶液が、８０ｐｐｍ以下の有効塩素量の濃度を有する、
ところの方法。
【請求項１４】
請求項２の方法であって、
前記第二の溶液が、４０ｐｐｍ以下の有効塩素量の濃度を有する、
ところの方法。
【請求項１５】
請求項２の方法であって、
前記第二の溶液が、４０ｃｐｓから１００００ｃｐｓの粘度を有する、
ところの方法。
【請求項１６】
請求項２の方法であって、
前記純水が、ナトリウム陽イオン交換、水素陽イオン交換、逆浸透、活性炭素処理、ＵＶ光処理、ウルトラフィルター、ナノフィルター、電解、及びその組合せから成る群から選択されるプロセスによって調製される、
ところの方法。
【請求項１７】
請求項１６の方法であって、
前記純水が、イオン交換プロセスによって調製される、
ところの方法。
【請求項１８】
請求項１７の方法であって、
前記純水が、活性炭素、ＵＶ光、及びその組合せからなる群から選択されるプロセスで処理してから、イオン交換プロセスによって調製される、
ところの方法。
【請求項１９】
請求項２の方法であって、
前記第二の溶液が、約１００ｐｐｂ以下の銅、約１０ｐｐｂ以下のニッケル、約３０ｐｐｂ以下のコバルト、及び約５００ｐｐｂ以下の全有機炭素を含む、
ところの方法。
【請求項２０】
請求項２の方法であって、
前記第二の溶液が、
アレルゲンを処理するために使用される、
ところの方法。
【請求項２１】
請求項２の方法であって、
前記第二の溶液が、硬質表面、食品接触表面、病院内の表面、食品表面、キッチン表面、風呂表面、人間の表面、腫瘍表面、皮膚表面、動物の表面、軍事用機器、輸送用機器、子供の玩具、植物の表面、種、野外の表面、軟質表面、空気、創傷、医用機器及びその組合せから成る群から選択される表面を処理するために使用される、
ところの方法。
【請求項２２】
安定希釈組成物を製造するための方法であって、
前記組成物が、次亜ハロゲン酸、次亜ハロゲン酸塩、及びその混合物から成る群から選択されるものであり、
当該方法が、
（ａ）有効塩素量として約０．５％以上の活性ハロゲンの含有量を有する第一の溶液を調製する工程、及び
（ｂ）第二の溶液を与えるために、前記第一の溶液を純水で希釈する工程、
を含み、
（ｃ）前記第二の溶液が、１．０ｐｐｍと約１２００ｐｐｍとの間の有効塩素量の濃度を有し、
（ｄ）前記第二の溶液が、ｐＨ５以上、ｐＨ８以下のｐＨを有する、
ところの方法。
【請求項２３】
請求項２２の方法であって、
前記第一の溶液が、前記ｐＨの範囲を達成するように、ＰＨ調整剤をさらに含む、
ところの方法。
【請求項２４】
請求項２３の方法であって、
前記第一の溶液が、カルボンジオキシド、アルカリ金属カルボネート、アルカリ金属バイカルボネート、アルカリ金属シリケート、アルカリ金属ヒドロキシド、アルカリホスフェート塩、アルカリン土ホスフェート塩、アルカリボレート塩、ヒドロクロリックアシッド、ニトリックアシッド、スルフリックアシッド、アルカリ金属ヒドロゲンスルフェート、アセチックアシッド、他のカルボキシリックアシッド、ポリカルボキシレート、有機スルホニックアシッド、スルファミックアシッド、及びその混合物から成る群から選択されるｐＨ調整剤を含む、
ところの方法。
【請求項２５】
請求項２２の方法であって、
前記純水が、前記ｐＨの範囲を達成するために、ｐＨ調整剤を含む、
ところの方法。
【請求項２６】
請求項２５の方法であって、
前記第一の溶液が、カルボンジオキシド、アルカリ金属カルボネート、アルカリ金属バイカルボネート、アルカリ金属シリケート、アルカリ金属ヒドロキシド、アルカリホスフェート塩、アルカリン土ホスフェート塩、アルカリボレート塩、ヒドロクロリックアシッド、ニトリックアシッド、スルフリックアシッド、アルカリ金属ヒドロゲンスルフェート、アセチックアシッド、他のカルビキシリックアシッド、ポリカルボキシレート、有機スルホニックアシッド、スルファミックアシッド、及びその混合物から成る群から選択されるｐＨ調整剤を含む、
ところの方法。
【発明の詳細な説明】
【技術分野】
【０００１】
（関連出願）
本願は、係続中の米国出願（出願日：２００４年３月２３日、発明の名称：（“Method for deactivating allergens and preventing disease”））の一部継続出願である。
【０００２】
（技術分野）
本発明は、次亜ハロゲン酸（hypohalous acid）、次亜ハロゲン酸塩（hypohalous acid salt）及びその活性物を含む組成物を希釈するための方法に関する。結果的に得られる組成物は、滅菌・消毒（例えば、水、周囲環境の硬質及び軟質表面、人間及び動物の表面）、医用デバイスの殺菌、滅菌及び消毒、消臭、アレルゲンの不活性化、及び防かびに有用である。結果的に得られる組成物は、蒸発又は気化手段、スプレー手段、浸漬手段、及び含浸基材の手段による適用手段を含む様々な手段で適用できる。結果的に得られる組成物は、硬質の表面、軟質の表面及び空気中に適用できる。
【背景技術】
【０００３】
（関連技術の説明）
本発明の組成物は、皮膚に対して危険性がなく、炎症を起こさせず、刺激を与えるものではなく、目に対して炎症を起こさせるものでもなく、また飲み込んでしまっても有害なものではなく、突然変異が全くみられない。特許文献１では、足の潰瘍の治療に高濃度の次亜塩素酸イオンの使用を推奨していない。これは、炎症や痛みを生じさせ、また治癒に十分な細胞の成長に害を及ぼすからであり、その製剤が使用できない。例えば、適当なバッファー（buffer）（又は緩衝剤）を使用して、高次亜塩素酸イオン含有量の溶液のアルカリン効果を低減させる試みがなされてきたが、効果がないことが見出されている。特許文献２において、対象物の安全性を確保しそのダメージを防ぐ試みにおいて、塩素化合物の濃度の低減が、保管安定性をもつフォーミュレーション（formulation）を得ることに困難性があることが見出されている。つまり、周囲温度、光（紫外線の光）、容器などに付着した第三の成分、容器の材料に存在するピグメントなどによりその活性が著しく低減され、塩素化合物が分解して塩素ガスが生成される。よって、塩素化合物の水溶液を含む消臭剤で、安全性などの要求を満たすような低濃度範囲において十分な消臭効果を得ることが困難となっている。特許文献２は、さらに、その組成物の液性がｐＨ９．５〜ｐＨ１１の範囲にあることが好適でることを見出している。このｐＨが８以下である場合、消臭剤は、塩素含有酸化剤が分解して塩素ガスを発生する恐れがあり、このため、十分な保管安定性に欠ける。特許文献３は、２．７５％以下の濃度では、かび菌、べと病の病菌及び藻類に対する効果がないことを見出している。
【０００４】
本発明の組成物及び方法の潜在的な用途には、皿洗い（例えば、特許文献４参照）、病院環境及び医用器具（例えば、特許文献５、６参照）、創傷の加温（例えば、特許文献７、８参照）、医用器具の滅菌又は消毒（例えば、特許文献９参照）、空気消臭（例えば、特許文献１０参照）、かび菌及びべと病の病菌の除菌（例えば、特許文献３参照）の用途が含まれる。
【特許文献１】米国公開第２００２／０１８２２６２号（Selkon）
【特許文献２】米国公開第２００２／０１７９８８４号（Hoshinoら）
【特許文献３】米国特許第５２８１２８０号（Lisowskiら）
【特許文献４】米国公開第２００３／０２１６２７１号（Scheperら）
【特許文献５】米国特許第６６３２３４７号（Buckleyら）
【特許文献６】米国特許第６１２６８１０号（Frickerら）
【特許文献７】米国公開第２００３／０１８５７０４号（Bernardら）
【特許文献８】米国特許第６４２６０６６号（Najafiら）
【特許文献９】米国特許第６６２３６９５号（Malcheskyら）
【特許文献１０】米国特許第６２９６７４４号（Djeirqnishviliら）
【特許文献１１】米国特許第４１７１９４７号（Doyleら）
【特許文献１２】米国特許第４３５３４８０号（McFadyen）
【特許文献１３】米国特許第４７７８０４８号（Kasparら）
【特許文献１４】米国特許第４７４１９４４号（Jacksonら）
【特許文献１５】米国特許第５５９５７８６号（McBrideら）
【特許文献１６】米国特許第６４１３９２５号
【特許文献１７】米国特許第５８５１４２１号
【特許文献１８】米国特許第３９２９６７８号（Laughlin、Heuring）
【特許文献１９】米国特許第４２５９２１７号（Murphy）
【特許文献２０】国際公開第ＷＯ９３／１８１２４号
【特許文献２１】米国特許第４５６５６４７号（Llenado）
【特許文献２２】米国特許第４２２８０４２号
【特許文献２３】米国特許第４２３９６６０号
【特許文献２４】米国特許第４２６０５２９号
【特許文献２５】欧州特許第８６６１１５号（Leach及びNiwata）
【特許文献２６】国際公開第ＷＯ９５／０７９７１号
【特許文献２７】米国特許第５５７８５６３号
【特許文献２８】米国特許第４１４５１８４号
【特許文献２９】米国特許第４２０９４１７号
【特許文献３０】米国特許第４５１５７０５号
【特許文献３１】米国特許第４１５２２７２号
【特許文献３２】国際公開第ＷＯ０１／２０９８８号
【特許文献３３】国際公開第ＷＯ００／７１０１２号（Beltら）
【特許文献３４】米国公開第２００２／０１２９８３５号（Pieroni及びFoley）
【特許文献３５】国際公開第ＷＯ００／２７２７１号（Policicchioら）
【特許文献３６】米国特許第６１６２３７１号
【特許文献３７】米国特許第６０６６６１４号
【特許文献３８】米国特許第６１５３１２０号
【特許文献３９】米国特許第６０３７３１８号
【特許文献４０】米国特許第６３１３０８２号
【特許文献４１】米国特許第５６８８４３５号
【特許文献４２】米国特許第６４１３９２５号
【特許文献４３】米国特許第６２９７２０９号
【特許文献４４】米国特許第６１００２２８号
【特許文献４５】米国特許第５９１６８５９号
【特許文献４６】米国特許第５８５１４２１号
【特許文献４７】米国特許第５６８８７５６号
【特許文献４８】米国特許第５７６７０５５号
【特許文献４９】米国特許第５０５５２１９号
【特許文献５０】米国特許第５０７５０２９号
【特許文献５１】米国特許第５３７６２９７号
【特許文献５２】米国特許第５０３４１５０号
【特許文献５３】米国特許第６５３４４６５号
【特許文献５４】米国特許第６５０３８７７号
【特許文献５５】米国特許第６４１６６８７号
【特許文献５６】米国特許第６１８０５８３号
【特許文献５７】米国特許第６０５１６７６号
【特許文献５８】米国特許第５９５４２１３号
【特許文献５９】米国特許第５３１６１５９号
【特許文献６０】国際公開第ＷＯ２００４／０１４７６０号
【特許文献６１】米国特許第６６１０２５４号
【特許文献６２】米国特許第６５５０６９４号
【特許文献６３】米国特許第６４５５０８６号
【特許文献６４】米国特許第６３１３０４９号
【特許文献６５】米国公開第２００２／０１３２７４２号
【特許文献６６】米国公開第２００１／００１４６５５号
【特許文献６７】国際公開第ＷＯ９９／０００２５号
【特許文献６８】米国公開第２００２／０１５１４５２号
【特許文献６９】米国公開第２００３／００３６７４１号（Abbaら）
【特許文献７０】米国公開第２００３／０１１８８２５号（Meliusら）
【発明の開示】
【発明が解決しようとする課題】
【０００５】
先行技術例に基づいて、次亜ハロゲン酸（hypohalous acid）、次亜ハロゲン酸塩（hypohalous acid salt）及びその活性物を含む組成物の様々な新規な化学式及び方法が発見されてきた。
【課題を解決するための手段】
【０００６】
上記目的及び以下で明らかになるであろうことに従って、本発明の一つの態様は安定希釈組成物を製造するための方法であり、この組成物は、次亜ハロゲン酸、次亜ハロゲン酸塩及びその混合物から成る群から選択されるものである。本発明の方法は、
（ａ）次亜ハロゲン酸、次亜ハロゲン酸塩、次亜ハロゲン酸生成種、次亜ハロゲン酸塩生成種及びその混合物から成る群から、活性材料のソースを調製する工程、及び
（ｂ）前記安定希釈組成物を与えるために、純水で前記ソースを希釈する工程、
を含み、
（ｃ）前記安定希釈組成物が、１．０ｐｐｍと約１２００ｐｐｍとの間の有効塩素量の濃度を有する。
【０００７】
上記目的及び以下で明らかになるであろうことに従って、本発明の他の態様は、安定希釈組成物を製造する方法を含み、この組成物は、次亜ハロゲン酸、次亜ハロゲン酸塩及びその混合物から成る群から選択されるものである。本発明の方法は、
（ａ）有効塩素量として約０．５％以上の活性ハロゲン含有量を有する第一の溶液を調製する工程、及び
（ｂ）第二の溶液を与えるために、純水で前記第一の溶液を希釈する工程、
を含み、
（ｃ）前記第二の溶液が、１．０ｐｐｍと約１２００ｐｐｍとの間の有効塩素量の濃度を有し、
（ｄ）前記第二の溶液が、２７日以上、保管温度７０°Ｆで少なくとも９０％の有効塩素量の濃度を保持する。
【０００８】
上記目的及び以下で明らかになるであろうことに従って、本発明の一つの態様は安定希釈組成物を製造するための方法であり、この組成物は、次亜ハロゲン酸、次亜ハロゲン酸塩及びその混合物から成る群から選択されるものである。本発明の方法は、
（ａ）有効塩素量として約０．５％以上の活性ハロゲンの含有量を有する第一の溶液を調製する工程、及び
（ｂ）第二の溶液を与えるために、純水で前記第一の溶液を希釈する工程、
を含み、
（ｃ）前記第二の溶液が、１．０ｐｐｍと約１２００ｐｐｍとの間の有効塩素量の濃度を有し、
（ｄ）前記第二の溶液が、ｐＨ５以上、ｐＨ８以下のｐＨを有する。
【発明の効果】
【０００９】
本発明の他の特徴及び利点は、以下の好適実施例の詳細な説明により、当業者には明らかになる。
【発明を実施するための最良の形態】
【００１０】
本発明を詳細に説明する前に、本発明は、特定的に例示するシステム又はプロセスパラメータ（当然に変化し得る）に限定されないことを理解するべきである。また、ここで用いる用語は単に本発明の特定的な実施例を説明することを目的とするものであり、本発明の範囲を限定することを意図としていないことを理解するべきである。
【００１１】
全ての特許公開公報及び特許公報（特許文献）並びに特許出願を、参照文献として示す。
【００１２】
本明細書及び特許請求の範囲における記載について、例えば、用語“界面活性剤”は、明確に示さない限り、単数だけでなく、二つ又はそれ以上のこのような活性剤を含む。
【００１３】
特に示さない限り、ここに用いている用語の意味は、当業者によって共通的に理解できるものである。ここに説明されているものと同様又は同等の多数の方法及び材料を本発明の実施に用いることができるが、ここに説明されている方法及び材料は好適なものである。
【００１４】
本出願では、有効又は効果的な量を含有量の範囲又はレベルで示す。特に示さない限り、パーセント（％）で示す量は、クリーニング組成物単独（基材の重量は除外）を基準とする重量％で示す。クリーナー組成物の成分と基材の各々については、以下で詳細に説明する。
【００１５】
用語“基材”（又はサブストレート）は、物品又は表面を清浄にするために使用される任意のウェブ（web）を含むことを意図としている。クリーニングシートは、これらに限定されないが、例えば、手で表面を清浄にするために使用される単一のシート又はクリーニング用具（例えば、床拭きモップ）や手持ちクリーニング用具（例えば、トイレットクリーニングデバイス）に取り付けられるシートを含むウェブ（web）、ミット（mitt）を含む。
【００１６】
用語“ワイピング”（拭く、又は拭き取る）は、ターゲット表面に接触しながら基材を動かす動作をいう。これは、手や身体の移動、表面上での基材の移動、及びエネルギーソース（例えば、超音波、機械的振動、電磁気など）を介しての基材の微小振動を含む。
【００１７】
用語“クリーニング組成物”は、少なくとも一つの界面活性剤を有するクリーニングフォーミュレーションを含むものを意味する。
【００１８】
用語“界面活性剤”は、水又は水溶液中に分解するときに表面張力を低減させるか又は二つの液体間又は液体と固体の間の界面張力を低減させるか物質又は化合物を含むものを意味する。よって、用語“界面活性剤”は、陰イオン、非イオン及び／又は両性の剤を含む。
【００１９】
（次亜ハロゲン酸及び塩）
適当な次亜ハロゲン酸及び塩は、陽ハロゲン化物イオン及び／又は次亜ハロゲン酸塩（hypohalite）イオンのフォーミュレーションに誘導する組成物、次亜ハロゲン酸、次亜ハロゲン酸塩（hypohalous acid salt）、次亜ハロゲン酸生成種、次亜ハロゲン酸塩（hypohalous acid salt）生成種、またハロゲン化物（例えば、クロルイソシアヌレート）、ハロアミン、ハロイミン、ハロイミド及びハロアミドの有機ベースのソースの組成物、及びその混合物を含む様々なソースによって与えられ得る。これら組成物は、また、次亜ハロゲン酸又は次亜ハロゲン酸塩種を製造し得る。適当な次亜ハロゲン酸及び塩は、アルカリ金属及びアルカリン土金属次亜塩素酸塩、次亜臭素酸塩（hypobromites）、次亜ヨウ素酸塩（hypoiodites）、塩化トリソディウムフォスフェートドデカヒドレート（chlorinated trisodium phosphate dodecahydrates）、カリウム及びナトリウムトリクロルシアヌレート（potassium and sodium trichlorocyanurates）、Ｎ−クロルイミド、Ｎ−クロルアミド、Ｎ−クロルスルファミド（chlorosulfamide）、Ｎ−クロルアミン、クロルヒダントイン（chlorohydantoins）（例えば、ジクロルジメチルヒダントイン（dichlorodimethyl hydantoin）及びクロルブロモジメチルヒダントイン（chlorobromo dimethylhydantoin））、上記のクロル化合物に対応するブロモ（bromo）化合物、対応する次亜ハロゲン酸を生成する組成物、及びそれら混合物を含む。
【００２０】
一つの実施例（組成物は液体である）では、前記次亜ハロゲン酸塩組成物は、アルカリ金属及び／又はアルカリン土金属次亜塩素酸塩、又はその混合物を含む。組成物は、次亜塩素酸塩ナトリウム、次亜塩素酸塩ナトリウム、次亜塩素酸塩マグネシウム、次亜塩素酸塩リチウム、次亜塩素酸塩カルシウムおよびその混合物から成る群から選択されるアルカリ金属及び／又はアルカリン土金属次亜塩素酸塩を含み得る。
【００２１】
次亜ハロゲン酸及び塩の組成物は、次亜塩素酸及び次亜塩素酸塩カリウムの平衡混合物であり得る。活性種は、組成物を基準として、約０以上、約１５重量％の範囲、又は約０．００１重量％（１０ｐｐｍ）以上、約１０重量％の範囲、又は約０．００５（５０ｐｐｍ）以上、約５重量％の範囲の量で存在する。
【００２２】
組成物中の適当なハロゲン酸化物の量は、約１５ミリリットルの蒸留水中に組成物のサンプルを入れ、カリウムヨウ化物の１０重量／重量％水溶液を約１０ミリリットル加え、硫酸の１０体積％水溶液を約１０ミリリットル加え、この混合液を攪拌することによって決定される。この溶液は、黄色から茶色へ変色するが、この色は、分子ヨウ化物（Ｉ２）へのフリーのヨウ化物イオン（Ｉ´）の酸化によるものであり、溶液は、次に、標準化０．１モルのチオ硫酸ナトリウム（Ｎａ２Ｓ２Ｏ３）滴定剤を加えることによって本質的に無色のエンドポイントに体積測定的に滴定された。次に、計算により、適当な分子塩素（Ｃｌ２）の割合（パーセント）が表される（二つの等価物毎モルの滴定次亜ハロゲン酸塩酸化剤を選定する）。安定性の結果は、初期に測定した開始時の有効塩素量を代表する１００％に正規化された、同一の組成物から得られる識別的に調製したサンプルを使用して評価分析を繰り返すことにより示される。
【００２３】
様々な酸化剤及び抗菌のアレルゲン不活化能力評価を行っている間に、次亜塩素酸の極希釈溶液（４０〜８０ｐｐｍのオーダー）がアレルゲンを効果的に不活化できることを見出した。酸化剤が低レベルであっても、生物学的に不活性化してアレルゲンプロテインを破壊できると推定される。
【００２４】
次亜塩素酸塩が低濃度でほぼ中性（ｐＨ６．９）であっても非常に効果的であり、表面にダメージを与えない。織物の風合いに影響を及ぼす粘着性の残留物がなく、変色によるダメージを最小限にし得る。この溶液は、エーロゾル化され、空気を直接的に処理し、又は表面に適用できる。
【００２５】
エーロゾル（aerosol）は、変性剤とアレルゲン粒子の間の衝突率が小さいことが知られている。その結果、変性剤は、効果的であるべき高濃度で使用されなければならない。強い刺激性又は芳香性を有する在来の変性剤によると、健康に問題を生じさせる原因となる。
【００２６】
（不織布基材）
一つの実施例では、本発明の基材は、不織布繊維又はペーパーからなる。用語“不織布”は、“Nonwoven Fabrics Handbook”（the Association of Nonwoven Fabric Industry発行）で規定されている共通的に既知の定義に従って定義されるべきである。
【００２７】
不織布の製造方法は従来技術で既知である。一般に、不織布は、空気縒り、水縒り、メルトブロー、コフォーム（coforming）、スプンボンド（spunbonding）、又はカーディングプロセス（carding process）（繊維又はフラグメントを長いストランドから所望の長さにカットし、水又は空気のストリーム中に投入し、スクリーン（空気又は水はスクリーンを通過する）上に堆積させる）により製造できる。空気縒りプロセスは、特許文献６９、７０に説明されている。結果的に得られた層（製造方法又は組成物に無関係）は、幾つかのタイプのボンド工程のうちの少なくとも一つのタイプの工程により繊維同士を結合し、耐性のある基材を形成する。本発明では、不織布基材は、これらに限定されないが、空気絡合、水絡合、熱ボンド及びこれらを組合せたプロセスを含む様々なプロセスにより提供できる。
【００２８】
一つの態様では、ドライクリーニング基材が、繊維層上又は多層繊維内にコーティングしたドライ又は実質的ドライクリーニング又は殺菌剤で与えられる。また、クリーニング基材は、予湿及び／又は飽和状態で与えることができる。ウェット状態のクリーニング基材は、着脱可能な蓋月のバケット、密封可能なプラスチック製のポーチ又はバッグ、金属製容器、ジャー、タブ（tub）などのような密閉容器内に長時間入れておくことができる。ウェット状態のクリーニング基材を重ねて密閉容器内に入れておくことが望ましい。密閉容器の使用は、揮発性の液体成分を使用しているときに特に望ましい。これは、最初の基材を使用している間に液体が揮発して、他の基材の液体が少量又は無くなってしまうからである。このような密閉容器は、これらに限定されないが、特許文献１１、１２、１３、１４、１５に記載のものを含む。クリーニング基材は、従来技術で知られているように、容器に組み込んだり適合してもよく、また使用や取出しを容易にするために折り畳んでもよい。本発明のクリーニング基材は、キットの形態で提供できる。複数のクリーニング基材及びクリーニングツールが単一のパッケージで与えられる。適当なシステムが、係続中の米国特許出願第１０／６３２５７３号（出願日：２００３年８月１日、発明の名称：Disinfecting article with extended efficiency）に記載されている。
【００２９】
（界面活性剤）
本発明の組成物は界面活性剤を含む。界面活性剤は、長時間の保管が望まれる場合、次亜ハロゲン酸又は次亜ハロゲン酸塩に対して安定でなければならない。組成物の溶液が使用前に生成される場合、低い安定性をもつ界面活性剤が使用され得る。比較的良好な安定性を有する界面活性剤の例が、特許文献１６、１７に記載されている。
【００３０】
組成物は、陰イオン、非イオン、両性及び両性イオンの界面活性剤及びその混合物から選択される一つ又はそれ以上の界面活性剤を含み得る。典型的な陰イオン、非イオン、両性、両性イオンに類するもの及びこれら界面活性剤の種が、特許文献１８に記載されている。適当な陽イオンの界面活性剤が特許文献１９に記載されている。両性及び両性イオンの界面活性剤は、一般に、一つ又はそれ以上の陰イオン及び／又は非イオンの界面活性剤と組み合わせて使用される。界面活性剤は、約０％〜９０％の範囲、約０．００１％〜５０％の範囲、又は０．０１％〜２５％の範囲で存在し得る。
【００３１】
組成物は、陰イオン界面活性剤を含み得る。洗浄に有用な本質的に任意の陰イオン界面活性剤が、クリーニング組成物に含まれる。これは、陰イオンのスルフェート、スルホネート、カルボキシレート及びサルコシネートの界面活性剤の塩（例えば、ナトリウム、カリウム、アンモニウム、及び置換アンモニウム塩（例えば、モノエタノールアミン塩、ジエタノールアミン塩及びトリエタノールアミン塩））を含む。陰イオン界面活性剤は、スルホネート界面活性剤又はスルフェート界面活性剤を含み得る。陰イオン界面活性剤は、アルキルスルフェート、線状又は分岐アルキルベンゼンスルフェート、又はアルキルジフェニルオキシドジスルホネートを含み得る。
【００３２】
他の陰イオン界面活性剤は、アシルイセチオネート（acyl isethionate）のようなイセチオネート、Ｎ‐アシルタウレート（N-acyl taurate）、アルキルサクシネート、スルホサクシネート及びメチルタイリド（methyl tauride）の脂肪酸アミド、スルホサクシネートのモノエステル（例えば、飽和及び不飽和Ｃ１２‐Ｃ１８モノエステル）、スルホサクシネートのジエステル（例えば、飽和及び不飽和Ｃ６−Ｃ１４ジエステル）、Ｎ−アシルサルコシネートを含む。レジン（resin）アシッド及び水素含有レジンアシッドも適当であり（例えば、ロジン（rosin）、水素含有ロジン）、レジンアシッド及び水素含有レジンアシッドは、牛脂オイルに存在するか又は牛脂オイルから誘導される。適当な陰イオンスルフェート界面活性剤は、線形及び分岐第一及び第二アルキルスルフェート、アルキルエトキシスルフェート、脂肪オレオイル（oleoyl）スルフェート、アルキルフェノールエチレンオキシドエーテルスルフェート、Ｃ５−Ｃ１７アシル−Ｎ−（Ｃ１−Ｃ４アルキル）及び−Ｎ−（Ｃ１−Ｃ２ヒドロキシアルキル）グルカミンスルフェート、及びアルキルポリグルコシドのサルフェートのようなアルキルポリサクチャニド（alkylpolysacchanide）のスルフェート（非イオン非硫酸塩化化合物がここで説明される）を含む。アルキルスルフェート界面活性剤は、線状及び分岐第一Ｃ１０−Ｃ１８アルキルスルフェート、Ｃ１１−Ｃ１５分岐鎖アルキルスルフェート、又はＣ１２−Ｃ１４線状鎖アルキルスルフェートから選択され得る。
【００３３】
アルキルエトキシスルフェート界面活性剤は、０．５モル〜２０モルのエチレンオキシド／分子でエトキシレート化されたＣ１０−Ｃ１８アルキルスルフェートから成る群から選択され得る。アルキルエトキシスルフェート界面活性剤は、０．５モル〜７モル又は１モル〜５モルのエチレンオキシド／分子でエトキシレート化したＣ１１−Ｃ１８又はＣ１１−Ｃ１５アルキルスルフェートであり得る。本発明の一つの態様では、アルキルスルフェート及び／又はスルホネート及びアルキルエトキシスルフェート界面活性剤の混合物が使用される。このような混合物が特許文献２０に記載されている。
【００３４】
適当な陰イオンスルホネート界面活性剤は、Ｃ５−Ｃ２０線状アルキルベンゼンスルホネート、アルキルエステルスルホネート、Ｃ６−Ｃ２２第一又は第二アルカリンスルホネート、Ｃ６−Ｃ２４オレインスルホネート、硫酸塩化ポリカルボキシリックアシッド、アルキルグリセロールスルホネート、脂肪アシルグリセロールスルホネート、脂肪オレイルグリセロールスルホネート、及びその混合物の塩を含む。適当な陰イオンカルボキシレート界面活性剤は、アルキルエトキシカルボキシレート、アルキルポリエトキシポリカルボキシレート界面活性剤及び石けん（‘アルキルカルボキシル’）（特に第二石けん）を含む。適当なアルキルエトキシカルボキシレートは、化学式［ＲＯ（ＣＨ２ＣＨ２Ｏ）ｘＣＨ２ＣＯＯ−Ｍ＋］を含む（ここで、ＲはＣ６−Ｃ１８アルキル基であり、ｘは０〜１０の範囲にあり、エトキシレート分布は、重量ベースで、２０％以下（ｘは０）であり、Ｍは陽イオンである）。適当なアルキルポリエトキシポリカルボキシレート界面活性剤は、化学式［ＲＯ−（ＣＨＲ１−ＣＨＲ２−Ｏ）−Ｒ３］を有する（ここで、ＲはＣ６−Ｃ１８アルキル基であり、ｘは１〜２５であり、Ｒ１及びＲ２は、水素、メチルアシッドラジカル、サクシニックアシッド（succinic acid）ラジカル、ヒドロキシサクシニックアシッドラジカル及びその混合物から成る群から選択され、Ｒ３は水素、１〜８炭素原子を有する飽和又は不飽和炭化水素及びその混合物から成る群から選択される）。
【００３５】
適当な石けん界面活性剤は、第二炭素に結合されるカルボキシルユニットを含む第二石けん界面活性剤を含む。適当な第二石けん界面活性剤は、２−メチル−１−ウンデカノイック（undecanoic）アシッド、１−エチル−１−デカノイックアシッド、２−プロピル−１−ノンアノイック（nonanoic）アシッド、１−ブチル−１−オクタノイック（octanoic）アシッド及び２−ペンチル−１−ヘプタノイック（heptanoic）アシッドの水溶性の塩から成る群から選択される水溶性のメンバーである。また、石けんは、泡立ちを抑制して含まれる。
【００３６】
他の適当な陰イオン界面活性剤は、化学式［Ｒ−ＣＯＮ（Ｒ１）ＣＨ−）ＣＯＯＭ］のアルカリ金属サルコシネートである（ここで、ＲはＣ５−Ｃ１７線状又は分岐アルキル又はアルケニル基であり、Ｒ１はＣ１−Ｃ４アルキル基であり、Ｍはアルカリ金属イオンである）。例えば、ナトリウム塩の形にあるミリスチル及びオレオイルメチルサルコシネートである。
【００３７】
本質的に任意のアルコキシレート化非イオン界面活性剤が適当である。例えば、エトキシレート化及びプロポキシレート化非イオン界面活性剤である。キャップド（capped）非イオンのような次亜ハロゲン酸又は次亜ハロゲン酸塩に対する安定性をもつ非イオン界面活性剤が特に適当である。アルコキシレート化界面活性剤は、アルキルフェノールの非イオン縮合物、非イオンエトキシレート化アルコール、非イオンエトキシレート化／プロポキシレート化脂肪アルコール、プロピレングリコールをもつ非イオンエトキシレート／プロポキシレート縮合物、及びプロピレンオキシド／エチレンジアミン付加物をもつ非イオンエトキシレート縮合物のクラスから選択できる。
【００３８】
１モル〜２５モルのアルキレンオキシド、特定的にエチレンオキシド及び／又はプロピレンオキシドをもつアリファチックアルコールの縮合物が適当である。アリファチックアルコールのアルキル鎖は、線状又は分岐の第一又は第二のものであり、一般に、６〜２２炭素原子を含む。また、２モル〜１０モルのエチレンオキシド／モルのアルコールをもつ８〜２０炭素原子を含むアルキル基を有するアルコールの縮合物も適当である。
【００３９】
適当なポリヒドロキシ脂肪酸アミドは、化学式［Ｒ２ＣＯＮＲ１Ｚ］を有するものである（ここで、Ｒ１はＨ、Ｃ１−Ｃ４ヒドロカルビル（hydrocarbyl）１，２−ヒドロキシエチル、２−ヒドロキシプロピル、エトキシ、プロポキシ、又はその混合物であり、例えば、Ｃ１−Ｃ４アルキル又はＣ１又はＣ２アルキルであり、Ｒ２はＣ５−Ｃ３１ヒドロカルビルであり、例えば直鎖Ｃ５−Ｃ１９アルキル又はアルケニル、直鎖Ｃ９−Ｃ１７アルキル又はアルケニル、直鎖Ｃ１１−Ｃ１７アルキル又はアルケニル又はその混合物であり、Ｚは、その鎖に直結した少なくとも３ヒドロキシル又はそのアルコキシレート化誘導体（例えば、エトキシレート化又はプロポキシレート化）をもつ線状ヒドロカルビル鎖を有するポリヒドロキシヒドロカルビルである）。Ｚは、例えば、Ｚがグリシチル（glycityl）のときに、還元アミノ化反応で還元糖から誘導され得る。
【００４０】
適当な脂肪酸アミド界面活性剤は、化学式［Ｒ１ＣＯＮ（Ｒ２）２］を有するものを含む。ここで、Ｒ１は７〜２１炭素原子、又は９〜１７炭素原子を含むアルキル基であり、Ｒ２は水素、Ｃ１−Ｃ４アルキル、Ｃ１−Ｃ４ヒドロキシアルキル、及び［−（Ｃ２Ｈ４Ｏ）ｘＨ］（ここで、ｘは１〜３である）から成る群から選択される。
【００４１】
適当なアルキルポリサクチャリドは、特許文献２１に記載されており、６〜３０炭素原子から選択されるヒドロフォビック（hydrophobic）基及びポリサクチャリド（例えば、１．３〜１０サクチャリドユニットを有するポリグリコシド、ヒドロフィリック基）を有する。アルキルポリグリコシドは化学式［Ｒ２Ｏ（ＣｎＨ２ｎＯ）ｔ（グリコシル）ｘ］を有し得る。ここで、Ｒ２は、アルキル、アルキルフェニル、ヒドロキシアルキル、ヒドロキシアルキルフェニル及びその混合物から成る群から選択される。アルキル基は、１０〜１８炭素原子を含む。ｎは２又は３である。ｔは０〜１０である。またｘは１．３〜８である。グリコシル（glycosyl）はグルコースから誘導され得る。
【００４２】
適当なアンフォテリック界面活性剤は、アミンオキシド界面活性剤及びアルキルアンフォカルボキシリックアシッドを含む。適当なアミンオキシドは、化学式［Ｒ３（ＯＲ４）ｘＮＯ（Ｒ５）２］を有する化合物を含む。ここで、Ｒ３は、８〜２６炭素原子を有するアルキル、ヒドロキシアルキル、アシルアミドプロピル及びアルキルフェニル基又はその混合物から選択される。Ｒ４は、２〜３炭素原子を含むアルキレン又はヒドロキシアルキレン基又はその混合物である。ｘは０〜５、好適に０〜３である。Ｒ５は、１〜３を含むアルキル又はヒドロキシアルキル基、又は１〜３エチレンオキシド基を含むポリエチレンオキシド基である。適当なアミンオキシドは、Ｃ１０−Ｃ１８アルキルジメチルアミンオキシド、及びＣ１０−Ｃ１８アシルアミドアルキルジメチルアミンオキシドである。アルキルアンフォジカルボキシリックアシッドの適当な例は、Miranol（登録商標）C2M Conc.（ミラノール社、アメリカ合衆国ニュージャージー州デイトン）である。
【００４３】
両性イオン界面活性剤もクリーニング組成物に組み入れることができる。この界面活性剤は、第二及び第三アミンの誘導体、ヘテロサイクリック（heterocyclic）第二及び第三アミンの誘導体、又は第四アンモニウム、第四ホスホニウム又は第三スルホニウム化合物の誘導体のように説明できる。例えば、ベタイン（betaine）及びスルタイン（sultaine）界面活性剤が両性イオン界面活性剤として使用される。
【００４４】
適当なベタインは、化学式［Ｒ（Ｒ１）２Ｎ＋Ｒ２ＣＯＯ−］を有する化合物である。Ｒは、Ｃ６−Ｃ１８ヒドロカルビル基である。Ｒ１は、典型的なＣ１−Ｃ３アルキルである。Ｒ２は、Ｃ１−Ｃ５ヒドロカルビル基である。適当なベタインは、Ｃ１２−１８ジメチル−アンモニオヘキサノエート及びＣ１０−１８アシルアミドプロパン（又はエタン）ジメチル（又はジエチル）ベタインである。複合ベタイン界面活性剤も使用に適している。
【００４５】
適当な陽イオン界面活性剤は、第四アンモニウムを含む。第四アンモニウム界面活性剤は、モノＣ６−Ｃ１６、またはＣ６−Ｃ１０Ｎ−アルキルまたはアルケニルアンモニウム界面活性剤（残りのＮ個の位置は、メチル、ヒドロキシエチル又はヒドロキシプロピル基で置換される）であり得る。モノ−アルコキシレート化及びビス−アルコキシレート化アミン界面活性剤も適当である。
【００４６】
クリーニング組成物に使用できる陽イオン界面活性剤の他の適当な基は、陽イオンエステル界面活性剤である。陽イオンエステル界面活性剤は、少なくとも一つのエステル（つまり、−ＣＯＯ−）リンケージ及び少なくとも一つの陽イオン電荷基を含む界面活性剤の性質を有する化合物である。コリンエステル界面活性剤を含む適当な陽イオン界面活性剤の例が、特許文献２２、２３、２４に開示されている。エステルリンケージ及び陽イオン電荷基は、少なくとも３個の原子（つまり、３個の原子の鎖長さ）、３個〜８個の原子、３個〜５個の原子又は３個の原子を含む鎖から成るスペーサー（spacer）原子団によって、界面活性剤分子で相互に分離され得る。スペーサー原子団の鎖を形成する原子は、炭素原子、窒素原子、酸素原子及びその任意の混合物から成る群から選択される。ただし、前記鎖中の任意の窒素原子又は酸素原子が鎖中の炭素原子と結合するだけである。よって、例えば、−Ｏ−Ｏ−（つまり、ペルオキシド）、−Ｎ−Ｎ−及び−Ｎ−Ｏ−リンケージを有するスペーサー原子団が除外され、例えば、−ＣＨ２−Ｏ−、ＣＨ２−及び−ＣＨ２−ＮＨ−ＣＨ２−リンケージを有するスペーサー原子団が含まれる。スペーサー原子団の鎖は、炭素原子のみを含んでもよく、この鎖はヒドロカルビル鎖である。
【００４７】
組成物は、例えば、一般的な化学式［Ｒ１Ｒ２Ｒ３Ｎ＋ＡｐＲ４Ｘ−］の陽イオンモノ−アルコキシレート化アミン界面活性剤を含み得る。ここで、Ｒ１は、約６〜約１８炭素原子、６〜約１６炭素原子又は約６〜約１４炭素原子を含むアルキル又はアルケニルモエティ（moiety）である。Ｒ２及びＲ３は、１〜約３炭素原子を含むアルキル基（例えばメチル）を含むアルキル基である。例えば、Ｒ２及びＲ３はメチル基である。Ｒ４は、水素、メチル及びエチルから選択される。Ｘ−は、電気的な中性を当てることのできる塩化物、臭化物、メチルスルフェート、スルフェートなどのような陰イオンである。Ａは、アルコキシ基（特に、エトキシ、プロポキシ又はブトキシ基）である。ｐは、０〜約３０、２〜約１５又は２〜約８である。化学式中のＡｐＲ４基は、ｐ＝１で、ヒドロキシアルキル基であり、炭素原子数は６炭素原子を超えず、これにより、−ＯＨ基は、３炭素原子以下で第四アンモニウム窒素原子から分離される。適当なＡｐＲ４基は、−ＣＨ２ＣＨ２−ＯＨ、−ＣＨ２ＣＨ２ＣＨ２ＯＨ、−ＣＨ２ＣＨ（ＣＨ３）−ＯＨ及び−ＣＨ（ＣＨ３）ＣＨ２−ＯＨである。適当なＲ１基は、線状アルキル基であり、例えば、８〜１４炭素原子を有する線状Ｒ１基である。
【００４８】
適当な陽イオンモノ−アルコキシレート化アミン界面活性剤は、化学式［Ｒ１（ＣＨ３）（ＣＨ３）Ｎ＋（ＣＨ２ＣＨ２Ｏ）２−５ＨＸ−］のものである。Ｒ１は，Ｃ１０−Ｃ１８ヒドロカルビル及びその混合物（特に、Ｃ１０−Ｃ１４アルキル、又はＣ１及びＣ１２アルキル）である。Ｘは、電荷のバランスをとれる任意の陰イオンであり、例えば、塩化物又は臭化物である。
【００４９】
ここで、上記のタイプの化合物は、エトキシ（ＣＨ２ＣＨ２Ｏ）ユニット（ＥＯ）が、ブトキシ、イソプロポキシ［ＣＨ（ＣＨ３）ＣＨ２Ｏ］及び［ＣＨ２ＣＨ（ＣＨ３）Ｏ］ユニット（ｉ−Ｐｒ）又はｎ−プロポキシユニット（Ｐｒ）、又はＥＯ及び／又はＰｒ及び／又はｉ−Ｐｒユニットの混合物で置き換えられるものを含む。
【００５０】
陽イオンビス−アルコキシレート化アミン界面活性剤は、一般的な化学式［Ｒ１Ｒ２Ｎ＋ＡｐＲ３Ａ´ｑＲ４Ｘ−］を有し得る。ここで、Ｒ１は、約８〜約１８炭素原子、１０〜約１６炭素原子又は約１０から約１４炭素原子を含むアルキル又はアルケニルモエティである。Ｒ２は、１〜３炭素原子を含むアルキル基であり、例えば、メチルである。Ｒ３及びＲ４は、それぞれ、水素、メチル及びエチルから選択される。Ｘ−は、十分に電気的な中性を与えることのできる塩化物、臭化物、メチルスルフェート、スルフェートなどのような陰イオンである。Ａ及びＡ´は、それぞれ、Ｃ１−Ｃ４アルコキシ（例えば、エトキシ（つまり、−ＣＨ２ＣＨ２Ｏ−）、プロポキシ、ブトキシ及びそれら混合物）から選択される。ｐは、１〜約３０又は１〜約４である。ｑは、１〜約３０又は１〜約４である。又は、ｐ及びｑの両方が１である。
【００５１】
適当な陽イオンビス−アルコキシレート化アミン界面活性剤は、化学式［Ｒ１ＣＨ３Ｎ＋（ＣＨ２ＣＨ２ＯＨ）（ＣＨ２ＣＨ２ＯＨ）Ｘ−］のものである。Ｒ１は、Ｃ１０−Ｃ１８ヒドロカルビル及びその混合物、又はＣ１０、Ｃ１２、Ｃ１４アルキル及びその混合物である。Ｘ−は、電荷のバランスをとることのできる任意の陰イオンであり、例えば塩化物である。上記の一般的な陽イオンビス−アルコキシレート化アミン構造に関し、一例として、化合物Ｒ１が（ココナッツ）Ｃ１２−Ｃ１４アルキルフラクション脂肪酸から誘導されることから、Ｒ２はメチルであり、ＡｐＲ３及びＡ´ｑＲ４はそれぞれモノエトキシである。
【００５２】
他の有用な陽イオンビス−アルコキシレート化アミン界面活性剤は、化学式［Ｒ１Ｒ２Ｎ＋−（ＣＨ２ＣＨ２Ｏ）ｐＨ−（ＣＨ２ＣＨ２Ｏ）ｑＨＸ−］の化合物を含む。ここで、Ｒ１は、Ｃ１０−Ｃ１８ヒドロカルビルである。ｐは、１〜約３である。ｑは、１〜約３である。Ｒ２は、Ｃ１−Ｃ３アルキルであり、例えば、メチルである。Ｘ−は、陰イオンであり、例えば、塩化物又は臭化物である。
【００５３】
上記のタイプの他の化合物は、エトキシ（ＣＨ２ＣＨ２Ｏ）ユニット（ＥＯ）が、ブトキシ（Ｂｕ）イソプロポキシ［ＣＨ（ＣＨ３）ＣＨ２Ｏ］及び［ＣＨ２ＣＨ（ＣＨ３）Ｏ］ユニット（ｉ−Ｐｒ）又はｎ−プロポキシユニット（Ｐｒ）、又はＥＯ及び／又はＰｒ及び／又はｉ−Ｐｒユニットの混合物で置き換えられるものを含む。
【００５４】
本発明の組成物は、非イオンフルオロ界面活性剤、液状の組成物に溶解又は分散可能な陽イオンフルオロ界面活性剤及びその混合物から選択される少なくとも一つのフルオロ界面活性剤を含み得る。組成物は、洗浄効果をもつ界面活性剤をさらに含まなくてもよく、また有機溶液をさらに含まなくてもよく、さらに、洗浄効果をもつ界面活性剤も有機溶液もさらに含まなくてもよい。適当な非イオンフルオロ界面活性剤化合物は、例えば、ミネソタ・マイニング・アンド・マニュファクチャリング社から入手可能なＦｌｕｏｒａｄ（登録商標）である。例えば、フルオロ界面活性剤は、Ｆｌｕｏｒａｄ（登録商標）ＦＣ−７４０（フッ素化アルキルエステル）、Ｆｌｕｏｒａｄ（登録商標）ＦＣ−４３０（フッ素化アルキルエステル）、Ｆｌｕｏｒａｄ（登録商標）ＦＣ−４３１（フッ素化アルキルエステル）、Ｆｌｕｏｒａｄ（登録商標）ＦＣ−１７０−Ｃ（フッ素化アルキルポリオキシエチレンエタノール）を含む。
【００５５】
適当な非イオンフルオロ界面活性剤化合物は、化学式［ＣｎＦ２ｎ＋１ＳＯ２（Ｃ２Ｈ５）（ＣＨ２ＣＨ２Ｏ）ｘＣＨ３］のものを含む。ここで、ｎは、１〜１２、４〜１２又は８の値である。ｘは、４〜１８、４〜１０又は７である。これは、非イオンフッ素化アルキルアルコキシレートであり、市販のＦｌｕｏｒａｄ（登録商標）ＦＣ−１７１（ミネソタ・マイニング・アンド・マニュファクチャリング社）である。
【００５６】
他の適当な非イオンフルオロ界面活性剤化合物は、市販のＺＯＮＹＬ（登録商標）（デゥポン・パフォーマンス・ケミカルズ社）であり、例えば、ＺＯＮＹＬ（登録商標）ＦＳＯ及びＺＯＮＹＬ（登録商標）ＦＳＮを含む。これらは、化学式ＲｆＣＨ２ＣＨ２Ｏ（ＣＨ２ＣＨ２Ｏ）ｘＨを有する化合物である。ここで、Ｒｆは、Ｆ（ＣＦ２ＣＦ２）ｙである。ＺＯＮＹＬ（登録商標）ＦＳＯでは、ｘは０〜約１５であり、ｙは１〜約７である。ＺＯＮＹＬ（登録商標）ＦＳＮでは、ｘは０〜約２５であり、ｙは１〜約９である。
【００５７】
例えば、適当な陽イオンフルオロ界面活性剤化合物は、化学式［ＣｎＦ２ｎ＋１ＳＯ２ＮＨＣ３Ｈ６Ｎ＋（ＣＨ３）３Ｉ−］の構造を有する。ここで、ｎは約８である。この陽イオンフルオロ界面活性剤は、市販のＦｌｕｏｒａｄ（登録商標）ＦＣ−１３５（ミネソタ・マイニング・アンド・マニュファクチャリング社）である。他の適当な陽イオンフルオロ界面活性剤はＦ３−（ＣＦ２）ｎ−（ＣＨ２）ｍＳＣＨ２ＣＨＯＨ−ＣＨ２−Ｎ＋Ｒ１Ｒ２Ｒ３Ｃｌ−である。ここで、ｎは５〜９である。ｍは２である。Ｒ１、Ｒ２及びＲ３は−ＣＨ３である。この陽イオンフルオロ界面活性剤は、市販のＺＯＮＹＬ（登録商標）ＦＳＤ（デゥポン社）（２−ヒドロキシ−３−（（ガンマ−オメガ−ペルフルオロ−Ｃ６−２０−アルキル）チオ）−Ｎ，Ｎ，Ｎ−トリメチル−１−プロピルアンモニウム塩化物）である。本発明で使用するのに適した他の陽イオンフルオロ界面活性剤は、特許文献２５に説明されているものである。
【００５８】
非イオンフルオロ界面活性剤、陽イオンフルオロ界面活性剤及びその混合物から成る群から選択されるフルオロ界面活性剤は、０．００１〜５重量％、好適に０．０１〜１重量％、より好適に０．０１〜０．５重量％含まれ得る。
【００５９】
（溶液）
本発明の組成物は、溶液を含む。溶液は、長時間の保管をする場合に次亜ハロゲン酸又は次亜ハロゲン酸塩に対して安定でなくてはならない。組成物の溶液が使用前に生成される場合、低い安定性を有する溶液を使用してもよい。
【００６０】
適当な有機溶液は、これらに限定されないが、Ｃ１−６アルカノール、Ｃ１−６ジオール、アルキレングリコールのＣ１−１０アルキルエーテル、Ｃ３−２４アルキレングリコールエーテル、ポリアルキレングリコール、短鎖カルボキシリックアシッド、短鎖エステル、イソパラフィニックヒドロカーボン、鉱物スピリット、アルキルアロマチック、テルペン、テルペン誘導体、テルペノイド、テルペノイド誘導体、ホルムアルデヒド、及びピルロリドン（pyrrolidone）を含む。アルカノールは、これらに限定されないが、メタノール、エタノール、ｎ−プロパノール、イソプロパノール、ブタノール、ペンタノール、ヘキサノール、及びそのアイソマーを含む。ジオールは、これらに限定されないが、メチレン、エチレン、プロピレン、及びブチレングリコールを含む。アルキレングリコールエーテルは、これらに限定されないが、エチレングリコールモノプロピルエーテル、エチレングリコールモノブチルエーテル、エチレングリコールモノヘキシルエーテル、ジエチレングリコールモノプロピルエーテル、ジエチレングリコールモノブチルエーテル、ジエチレングリコールモノヘキシルエーテル、プロピレングリコールメチルエーテル、プロピレングリコールエチルエーテル、プロピレングリコールｎ−プロピルエーテル、プロピレングリコールモノブチルエーテル、プロピレングリコールｔ−ブチルエーテル、ジ−又はトリ−ポリプロピレングリコールメチル又はエチル又はプロピル又はブチルエーテル、グリコールエーテルのアセテート及びプロピオネートエステルを含む。短鎖カルボキシリックアシッドは、これらに限定されないが、アセチックアシッド、グリコールアシッド、ラクチックアシッド及びプロピオニック（propionic）アシッドを含む。短鎖エステルは、これらに限定されないが、グリコールアセテート、及び環状又は線状揮発性メチルシロキサンを含む。イソパラフィニックヒドロカーボン、鉱物スピリット、アルキルアロマチック、テルペノイド、テルペノイド誘導体、テルペン、及びテルペン誘導体のような非水溶性の溶液は、使用時に、水溶性の溶液と混合される。
【００６１】
例えば、蒸気圧０．１ｍｍＨｇ以下（２０℃）の有機溶液は、これらに限定されないが、ジプロピレングリコールｎ−プロピルエーテル、ジプロピレングリコールｔ−ブチルエーテル、ジプロピレングリコールｎ−ブチルエーテル、トリプロピレングリコールメチルエーテル、トリプロピレンｎ−ブチルエーテル、ジエチレングリコールプロピルエーテル、ジエチレングリコールブチルエーテル、ジプロピレングリコールメチルエーテルアセテート、ジエチレングリコールエチルエーテルアセテート、及びジエチレングリコールブチルエーテルアセテートを含む（これら全ては、ＡＲＣＯケミカル・カンパニーから入手可能である）。
【００６２】
溶液は、０．００１重量％〜１０重量％、０．０１重量％〜１０重量％、又は１重量％〜４重量％のレベルで存在する。
【００６３】
（添加剤）
組成物は、選択的に、汚れ忌避剤、潤滑剤、防臭剤、芳香剤、光沢剤及び漂白剤から選択される一つ又はそれ以上の添加剤を含み得る。他の添加剤は、これらに限定されないが、酸、電解液、染料及び／又は着色剤、可溶化物質、安定剤、濃化剤、消泡剤、向水性物質、曇点変更剤、防腐剤、及び他の重合体を含む。可溶化物質は、使用されるとき、これらに限定されないが、向水性物質（例えば、クメン、キシレンスルホニックアシッド、及びトルエンのナトリウム及び／又はカリウムの塩のような低分子量の有機酸の水溶性の塩）を含む。酸は、使用されるとき、これらに限定されないが、鉱物アシッド、有機ヒドロキシアシッド、チトリック（citric）アシッド、ケトアシッドなどを含む。電解液は、使用されるとき、これらに限定されないが、カルシウム、ナトリウム及びカリウム塩化物を含む。濃化剤は、使用されるとき、これらに限定されないが、ポリアクリリックアシッド、キサンタンガム（xanthan gum）、炭酸カルシウム、アルミニウムオキシド、アルギネート、グアーガム（guar gum）、メチル、エチル、クレイ（clay）、及び／又はプロピルヒドロキシセルロースを含む。消泡剤は、使用されるとき、これらに限定されないが、シリコン、アミノシリコン、シリコン混合物、及び／又はシリコン／ヒドロカーボン混合物を含む。
【００６４】
防腐剤は、使用されるとき、これらに限定されないが、白かび防止剤又はバクテリア防止剤、メチル、エチル及びプロピルパラベン、トリソディウムホスフェートのようなホスフェート、短鎖有機酸（例えば、アセチック、ラクチック及び／又はグリコリック酸）、ビスグアニジン化合物（例えば、ダンタガード（Dantagard）及び／又はグリダント（Glydant））及び／又は短鎖アルコール（例えば、エタノール及び／又はＩＰＡ）を含む。白かび防止剤又はバクテリア防止剤は、これらに限定されないが、ローム・アンド・ハース・カンパニーより入手可能なＫＡＴＨＯＮ−ＧＣ（５−クロル−２−メチル−４−イソチアゾリン−３−オン）、ＫＡＴＨＯＮ−ＩＣＰ（２−メチル−４−イソチアゾリン−３−オン）及びその混合物、及びＫＡＴＨＯＮ８８６（５−クロル−２−メチル−４−イソチアゾリン−３−オン）を含む白かび防止剤（ノン−イソチアゾン化合物を含む）、ＢＲＯＮＯＰＯＬ（２−ブロモ−２−ニトロプロパン１、３ジオール）（Boots Company Ltd.）、ＰＲＯＸＥＬ−ＣＲＬ（プロピル−ｐ−ヒドロキシベンゾエート）（ICI PLC）、ＮＩＰＡＳＯＬ−Ｍ（ｏ−フェニル−フェノール，Ｎａ＋塩）（Nipa Laboratories Ltd.）、ＤＯＷＩＣＩＤＥ−Ａ（１，２−ベンゾイソチアゾリン−３−オン）（Dow Chemicals Co.）、Ｎｉｐａｃｉｄｅ（Clariant）、及びＩＲＧＡＳＡＮ−ＤＰ２００（２，４，４´−トリクロル−２−ヒドロキシジフェニルエーテル）（Ciba-Geigy A.G.）を含む。
【００６５】
（抗菌剤）
本発明の組成物は、抗菌剤を含み得る。抗菌剤は、長時間保管する場合、次亜ハロゲン酸又は次亜ハロゲン酸塩に対して安定でなければならない。組成物の溶液が使用前に生成される場合、低い安定性を有する抗菌剤を使用してもよい。
【００６６】
抗菌剤は、第四アンモニウム化合物及びフェノールを含む。第四アンモニウム化合物は、これらに限定されないが、ベンザルコニウム塩化物及び／又は置換ベンザルコニウム塩化物、ジ（Ｃ６−Ｃ１４）アルキルジ短鎖（Ｃ１−４アルキル及び／又はヒドロキシアルクル）第四アンモニウム塩、Ｎ−（３−クロルアリル）ヘキサミニウム塩化物、ベンゼトニウム塩化物、メチルベンゼトニウム塩化物、及びセチルピリジニウム塩化物を含む。他の第四アンモニウム化合物は、ジアルキルジメチルアンモニウム塩化物、アルキルジメチルベンジルアンモニウム塩化物、ジアルキルメチルベンジルアンモニウム塩化物、及びその混合物を含む。ビグアニド抗菌活性剤も含まれてもよく、この活性剤は、これらに限定されないが、ポリヘキサメチレンビグアニドヒドロクロリド、ｐ−クロルフェニルビグアニド、４−クロルベンズヒドリルビグアニド、ハロゲン化ヘキシジン（例えば、クロルヘキシジン（１，１´−ヘキサメチレン−ビス−５−（４−クロルフェニルビグアニド）及びその塩）を含む。
【００６７】
（ビルダー／バッファー）
本発明の組成物は、ビルダー又はバッファーを含み得る。ビルダー又はバッファーは、長時間保管する場合、次亜ハロゲン酸又は次亜ハロゲン酸塩に対して安定でなければならない。組成物の溶液が使用前に生成される場合、低い安定性を有するビルダー又はバッファーを使用してもよい。
【００６８】
組成物に含まれ得るビルダー又はバッファーは、組成物のｐＨ調整剤又は封鎖剤として使用され得る。様々なビルダー又はバッファーが使用できる。ビルダー又はバッファーは、これらに限定されないが、ホスフェート−シリケート化合物、カルボンジオキシド又はマルボネート、ゼオライト、アルキル金属、アンモニウム及び置換アンモニウムポリアセテート、ニトリロトリアセチックアシッドのトリアルカリ塩、ポリカルボキシレート、バイカルボネート、ポリホスフェート、アミノポリカルボキシレート、ポリヒドロキシヅルホネート、及びでんぷん誘導体を含む。
【００６９】
ビルダー又はバッファーは、ポリアセテート及びポリカルボキシレートを含むことができる。ポリアセテート及びポリカルボキシレート化合物は、これらに限定されないが、カリウム、ナトリウム、リチウム、アンモニウム、並びにエチレンジアミンテトラアセチックアシッド、エチレンジアミントリアセチックアシッド、エチレンジアミンテトラプロピオニックアシッド、ジエチレントリアミンペンタアセチックアシッド、ニトリロトリアセチックアシッド、オキシジスクシニックアシッド、イミノジスクシニックアシッド、メリチックアシッド、ポリアセチックアシッド又はポリメタクリリックアシッド及びコポリマー、ベンゼンポリカルボキシリックアシッド、グルコニックアシッド、スルファミックアシッド、オクサリックアシッド、ホスホリックアシッド、ホスホニックアシッド、有機ホスホニックアシッド、アセチックアシッド、及びシトリックアシッドの置換アンモニウム塩を含む。これらビルダー又はバッファーは、水素イオンの形の一部又は全部も含むことができる。
【００７０】
ビルダー剤は、ＥＤＴＡのカリウム及び／又はナトリウム塩及び置換アンモニウム塩を含むことができる。置換アンモニウム塩は、これらに限定されないが、メチルアミン、ジメチルアミン、ブチルアミン、ブチレンジアミン、プロピルアミン、トリエチルアミン、トリメチルアミン、モノエタノールアミン、ジエタノールアミン、トリエタノールアミン、イソプロパノールアミン、エチレンジアミンテトラアセチックアシッド及びプロパノールアミンのアンモニウム塩を含む。
【００７１】
バッファー及びｐＨ調整剤は、使用されるとき、これらに限定されないが、有機酸、鉱物酸、シリケートのアルカリン土塩及びアルカリ金属、メタシリケート、ポリシリケート、ホウ酸塩、水酸化物、炭酸塩、カルボメート（carbomate）、ホスフェート、ポリホスフェート、ピロホスフェート、トリホスフェート、テトラホスフェート、アンモニア、水酸化物、モノエタノールアミン、モノプロパノールアミン、ジエタノールアミン、ジプロパノールアミン、トリエタノールアミン、及び２−アミノ−２メチルプロパノールを含む。本発明の組成物に好適なバッファー剤は、窒素含有物質である。この例として、リシン又は低アルコールアミン状のモノ−、ジ−及びトリ−エタノールアミンのようなアミノ酸である。他の好適な窒素含有バッファー剤は、トリ（ヒドロキシメチル）アミノメタン（ＴＲＩＳ）、２−アミノ−２−エチル−１、３−プロパンジオール、２−アミノ−２−メチル−プロパノール、２−アミノ−２−メチル−１、３−プロパノール、二ナトリウムグルタメート（disodium  glutamate）、Ｎ−メチルジエタノールアルニド、２−ジメチルアミノ−２−メチルプロパノール（ＤＭＡＭＰ）、１，３−ビス（メチルアミン）−シクロヘキサン、１，３−ジアミノ−プロパノールＮ，Ｎ´−テトラ−メチル−１，３−ジアミノ−２−プロパノール、Ｎ，Ｎ´−ビス（２−ヒドロキシエチル）グリシン（ビシン）及びＮ−トリス（ヒドロキシメチル）メチルグリシン（トリシン）である。他の適当なバッファーは、アンモニウムカルボメート、シトリックアシッド、及びアセチックアシッドを含む。また、上記の任意の混合物も含まれ得る。有用な無機バッファー／アルカリニティのソースは、アンモニア、アルカリ金属カルボネート及びアルカリ金属ホスフェート（例えば、ナトリウムカルボネート、ナトリウムポリホスフェート）を含む。その他のバッファーは特許文献２６でみられる。他の好適なｐＨ調整剤は、ナトリウム又はカリウムヒドロキシドを含む。
【００７２】
ビルダー、バッファー又はｐＨ調整剤は、クリーニング組成物の少なくとも焼く０．００１％、典型的に約０．０１〜５％含まれる。好適に、ビルダー又はバッファーの含有量は焼く０．０１〜２％である。
【００７３】
（一般に安全と認められた物質）
本発明に従った組成物は、一般に安全と認められた（ＧＲＡＳ：Generally Recognized As Safe）物質を含み得る。この物質は、オイル、含油樹脂（溶剤フリー）及び自然抽出物（留出物を含む）、並びに合成香味物質及び補助剤を含む。組成物は、綿、綿織物、ペーパー及びペーパーボード・ストック・ドライフードパッケージング材料（基材として参照される）（このパッケージング材料は、ドライフードに移染することがわかり、本発明の組成物の基材として使用されると、本発明の組成物に移染し得ると推定される）で共通的にわかっているＧＲＡＳ物質も含み得る。
【００７４】
本発明の組成物は、ＧＲＡＳ物質を含み得る。ＧＲＡＳ物質は、長時間保管する場合、次亜ハロゲン酸又は次亜ハロゲン酸塩に対して安定でなければならない。組成物の溶液が使用前に生成される場合、低い安定性を有するＧＲＡＳ物質を使用してもよい。
【００７５】
適当なＧＲＡＳ物質は、ＣＦＲ（Code of Federal Regulations）（the United States Food and Drag Administration, Department of Health and Human Services, Parts 180.20, 180.40 and 180.50）のタイトル２１に示されている。適当なＧＲＡＳ物質は、エッセンシャルオイル、含油樹脂（溶剤フリー）、及び自然抽出物（留出物を含む）を含む。ＧＲＡＳ物質は、組成物に、約１０重量％以下、好適に０．０１〜５重量％含まれ得る。
【００７６】
適当なＧＲＡＳ物質は、オイル及び含油樹脂（溶剤フリー）、並びにアルファルファ、オールスパイス、アーモンドビター（青酸を除く）、アンバーグリス、アムブレットシード、アンゼリカ、アンゴスツラ（クスパリア皮（cusparia bark））、バルサム（ペルー産）、バジル、ゲッケイジュの葉、ゲッケイジュ（マーシャ（myrcia）オイル）、ベルガモット（ベルガモットオレンジ）、ボアドローズ（アニバ・ロザエオドラ・デュク（Aniba rosaeodora Ducke））、カカオ、カモミール粉、カナンガ、カプシカム、カラウェイ、カルダモンシード（カルダモン）、カロブビーン（carob bean）、にんじん、カサリラ皮（cascarilla bark）、シベット（Civet）、セイロン（シナモン・ゼイラニカム・ニース（cinnamomum zeylanicum Nees））、シナモン（皮及び葉）、シトロネラ（citronella）、シトラス・ピールス、クレイ（クレイ・サージ）、クローバ、コカ（脱コカイン化）、コーヒー、コニャックオイル（白及び緑）、コラナッツ（cola nut）、コリアンダー、ヒメウイキョウ、クラカオ（curacao）オレンジピール、クスパリア皮、ダンデリオン、ドッググラス（dog glass）、エルダー・フラワー、エストラゴル（estragole）、ウイキョウ（菓子）、コロハ、コウリョウキョウ、ゼラニウム、ジンジャー、グレープフルーツ、ガバ、ヒッコリー皮、ニガハッカ、ホップ、ホースミント、不凋花、ジャスミン、セイヨウビャクシン、ローレルベリー及び葉、ラベンダー、レモン、レモングラス、レモンピール、ライム、シナノキ、イナゴマメ、リュープリン、メース、マンダリン、マヨラナ、マテ茶、メンソール（メチルアセテートを含む）、糖蜜（抽出物）、ジャコウ、マスタード、ナリンジン（naringin）、ネロリ、ナツメグ、オニオン、オランジ（ビター、花、葉、皮）、ハナハッカ、パルマロザ（palmarosa）、パプリカ、パセリ、ピーチカーネル（peach kernel）（ペルシック（persic）オイル、ペッパー（黒、白））、ピーナッツ（ステアリン）、ペパーミント、ペルーバルサム、プチグレンマンダリン、ピメント、ピメント葉、ウメガサソウ葉、ザクロ、アメリカザンショウ皮、マルメロシード、ローズ（油、芽、花、果実、実、葉）、ローズゲラニウム、ローズマリー、サフロン（safron）、セージ、セント・ジョーンズブレッド、ちりめんキャベツ、シヌスモール（schinus molle）、スモモ、スペアミント、スパイクラベンダー、タマリンド、タンジール、タラゴン、ティー（セア・シネンシスＬ（Tha sinensis L））、タイム、チューブローズ、ウコン、バニラ、スミレ（花、葉）、ワイルドチェリー皮、イランイラン、及びガジュツ皮を含む。
【００７７】
適当な合成香味物質及び補助剤は、ＣＲＦ（Code of Federal Regulations）（the United States Food and Drag Administration, Department of Health and Human Services, Parts 180.60）のタイトル２１に示されている。このＧＲＡＳ物質は、組成物の約１重量％以下、好適に０．０１〜０．５重量％含まれる。
【００７８】
適当な合成香味物質及び補助剤は、その意図する使用において一般に安全と認められたものであり、アセトアルデヒド（エタノール）、アセトイン（アセチルメチルカルビノール）、アネトール（パラプロピニルアニソール）、ベンズアルデヒド（ベンゾイックアルデヒド）、ｎ−ブチリックアシッド（ブタノイックアシッド）、ｄ−又はｌ−カルボン（carvone）（カルボール）、シンナムアルデヒド（シンナミックアルデヒド）、シトラール（２，６−ジメチルオクタジエン−２，６−アル−８、ゲラ−ニアル（gera-nial）、ネラル（neral））、デカナール（Ｎ−デシルアルデヒド、カプルアルデヒド、カプリックアルデヒド、カプリンアルデヒド、アルデヒドＣ−１０）、エチルアセテート、エチルブチレート、３−メチル−３−フェニルグリシディックアシッドエチルエステル（エチル−メチル−フェニル−グリシデート、ストロベリーアルデヒド、Ｃ−１６アルデヒド）、エチルバニリン、ゼラニオール（３，７−ジメチル−２，６及び３，６−オクタジエン−１−オル）、ゼラニルアセテート（ゼラニオールアセテート）、リモネン（ｄ−、ｌ−及びｄｌ−）、リナオロール（リナロール、３，７−ジメチル−１，６−オクタジエン−３−オル）、リナリルアセテート（ベルガモール）、メチルアントラニレート（メチル−２−アミノベンゾネート）、ピペロナール（３，４−メチレンジオキシ−ベンズアルデヒド、ヘリオトロピン）及びバニリンを含む。
【００７９】
本発明の組成物に含まれ得る適当なＧＲＡＳ物質は、綿、綿織物、ペーパー及びペーパーボード材料（ドライフードパッケージング材料に使用される）からフードに移染可能であり、ＣＲＦ（Code of Federal Regulations）（the United States Food and Drag Administration, Department of Health and Human Services, Parts 180.70及び180.90）のタイトル２１に示されている。このＧＲＡＳ物質は、添加、又は本発明に使用される組成物に基材から移染することによって付随的に生じること、又はこれらの両方によって組成物に存在し得る。ＧＲＡＳ物質は、組成物の約１重量％以下の量だけ含まれ得る。
【００８０】
本発明に使用するのに適したＧＲＡＳ物質は、本発明で基材として使用される綿又は綿織物材料から生じ、牛脂、カルボキシメチルセルロース、ココナッツオイル（不純物を除く）、コーンスターチ、ゼラチン、ラード、ラードオイル、オレイン酸、ポテトスターチ、酢酸ナトリウム、塩化ナトリウム、ナトリウムシリケート、ナトリウムトリポリホスフェート、ソイビーンオイル（水素で処理）、牛脂フレーク、タピオカスターチ、テトラナトリウムピロホスフェート、小麦スターチ及び塩化亜鉛を含む。
【００８１】
本発明に使用するのに適したＧＲＡＳ物質は、本発明で基材として使用されるペーパー又はペーパーボード・ストック材料材料から生じ、アルム（アルミニウム及びアルミニウムカリウム、又はナトリウムのダブルスルフェート）、アルミニウムヒドロオキシド、アルミニウムオレアート（aluminum oleate）、アルミニウムパルミネート、カゼイン、セルロースアセテート、コーンスターチ、カリウムソルベート、シリコンジオキシド、ナトリウムアルミネート、塩化ナトリウム、ナトリウムヘキサメタホスフェート、ナトリウムヒドロスルフィート、ナトリウムホスホアルミネート、ナトリウムシリケート、ナトリウムソルベート、ナトリウムトリポリホスフェート、ソルビトール、ソイプロテイン（分離）、スターチ（アシッド変性、ｐレゼラチン化及び非変性）、タルク、バニリン、ジンク（zinc）ヒドロスルフィート（hydrosulfite）及び硫酸亜鉛を含む。
【００８２】
（芳香剤）
本発明の組成物は、芳香剤を含み得る。芳香剤は、長時間保管する場合、次亜ハロゲン酸又は次亜ハロゲン酸塩に対して安定でなければならない。組成物の溶液が使用前に生成される場合、低い安定性を有する芳香剤を使用してもよい。
【００８３】
本発明の組成物は、約０．００１重量％〜約５重量％の芳香剤を含み得る。また、本発明の組成物は、約０．００５重量％〜約２．５重量％の芳香剤を含み得る。本発明の組成物は、約０．０１重量％〜約１重量％の芳香剤を含み得る。
【００８４】
用語“芳香剤”は、心地よい香りを組成物に与えるために使用される香水原料の混合物に関連する。用語“香水原料”は、芳香を放つ任意の化学的な化合物に関連する。また、“香水原料”は、ＣｌｏｇＰ値が、好適に約０．１以上、より好適に約０．５以上、さらに好適に約１．０以上にある材料によって定義される。ここで、“ＣｌｏｇＰ”は、オクタノール／水分割係数の常用対数（ｌｏｇ１０）である。これは、市販のプログラム名称“ＣＬＯＧＰ”（Daylight Chemical Information System Inc.、アメリカ合衆国カリフォルニア州アーバイン）で容易に計算できる。オクタノール／水分割係数については、特許文献２７により詳細に記載されている。
【００８５】
個々の香水原料は、既知の天然オイルを含み、当業者に共通的に使用されている刊行物（例えば、“Perfume and Flavourist”及び“Journal of Essential Oil Research”）に記載されている。また、幾つかの香水原料は、香料製造所で特殊な調合で供給される。本発明に適した特性を有する香料オイルを開発するために、香水原料は、二つのキーとなる物理的特性に基づいて分類されてきた。
【００８６】
（１）１気圧で測定した沸点（ＢＰ：boiling point）。多くの香水材料の沸点は、“Perfume and Flavor Chemicals（Aroma Chemicals）”（Steffen Arctander、１９６９年）で与えられる。本発明に用いられる香水原料は、揮発性原料（沸点は約２５０℃以下）と、残りの原料（沸点は約２５０℃以上、好適に約２７５℃以上）とに分けられる。全ての香水原料は、好適に約５００℃以下の沸点（ＢＰ）を有する。
【００８７】
（２）臭覚で検出できる材料の最低気化条件として定義される臭気検出スレッショルド。臭気検出スレッショルド及び幾つかの臭気検出スレッショルド値は、例えば、“Standardized Human Olfactory Thresholds”（M. Devosら）（IRL Press and Oxford University Press、１９９０年）及び“Compilation of Odor and Taste Threshold Values Data”（F. A. Fazzalar）（ASTM Data Series DS 48A、American Society for Testing and Materials、１９７８年）で説明されている。本発明で用いられる香水原料は、５０×１０−９部以下、好適に１０×１０−９部以下の低い臭気検出スレッショルドのものと、５０×１０−９部以上で検出可能な高い臭気検出スレッショルドのものとに分けられる。（これら値は、上記文献から決定できるものである。）
【００８８】
香水原料は単一の化合物であるのが一般的であることから、これら物理的特性（ＣｌｏｇＰ、沸点、臭気検出スレッショルド）は、上記のテキストを参照することにより見出され得る。香水原料が天然オイル（幾つかの化合物の混合物を含む）である場合、完全なオイルの物理的性質は、個々の成分の平均重量をとるべきである。香水原料が固有の調合である場合、物理的性質はその供給者から得られるべきである。
【００８９】
一般に、適当な香水原料の範囲は、特許文献２８、２９、３０、３１で見つけることができる。本発明に用いられる香料の混合物に有用な香水原料は、これらに限定されないが、当業者に既知の天然オイル又は固有の調合物が本発明にしようできるものに含まれる。
【００９０】
本発明に有用な揮発性香水原料は、これらに限定されないが、約２００以下の相対分子量を有するアルデヒド、約２２５以下の相対分子量を有するエステル、約２００以下の相対分子量を有するテルペン、約２００以下の相対分子量を有するアルコール、約２００以下の相対分子量を有するケトン、ニトリル、ピラジン、及びそれら混合物から選択される。
【００９１】
低い臭気検出スレッショルドを有し、２５０℃以下の沸点を有する揮発性の香水原料は、これらに限定されないが、アネトール、メチルヘプチンカルボナート、エチルアセトアセテート、パラシメン（para cymene）、ネロール、デシルアルデヒド、パラクレゾール、メチルフェニルカルビニルアセテート、イオノンアルファ、イオノンベータ、ウンデシレニックアルデヒド、ウンデシルアルデヒド、２，６−ノナジエナール（nonadienal）、ノニルアルデヒド、及びオクチルアルデヒドから選択される。低い臭気検出スレッショルドを有することを一般に知られ、２５０℃以下の沸点を有する揮発性の香水原料は、これらに限定されないが、フェニルアセトアルデヒド、アニシックアルデヒド、ベンジルアセトン、エチル−２−メチルブチレート、ダマセノン（damascenone）、ダマソンアルファ（damascone alpha）、ダマソンベータ、フロルアセテート、フルテン、フルクトン、ヘルバベルト（herbavert）、イソシクロシトラール、メチルイソブテニルテトラヒドロピラン、イソプロピルクイノリン、２，６−ノナジエン−１−オル、２−メトキシ−３−（２−メチルプロピル）−ピラジン、メチルオクチンカルボネート、トリデセン（tridecene）−２−ニトリル、アリルアミルグリコレート、シクロガルバネート、シクラルＣ、メロナール、ガンマノナラクトン、シス（cis）１，３−オキサシアン（oxathiane）−２−メチル−４−プロピルを含む。
【００９２】
高い臭気検出スレッショルドを有し、２５０℃以下の沸点を有し、本発明に有用な他の揮発性の香水原料は、これらに限定されないが、デンズアルデヒド、ベンジルアセテート、イソアミルアセテート、シモール（thymol）、カルバクロール、メンソール、イソアミルアルコール、フェニルエチルアルコール、アルファピネン、、シトロネロール、アルファツヨン（alpha thujone）、ベンジルアルコール、ベータガンマヘキセノール、ジメチルベンジルカルビノール、フェニルエチルジメチルカルビノール、アドカサール（adxal）、アリルシクロヘキサンプロピオネート、ベータピネン、シトラール、シトロネリルアセテート、シトロネラルニトリル、ジヒドロミルセノール、ゼラニオール、ゼラニルアセテート、ゼラニルニトリル、ヒドロキノンジメチルエーテル、ヒドロキシシトロネラル、リナリルアセテート、フェニルアセトアルデヒドジメチルアセタール、フェニルプロピルアルコール、プレニルアセテート、トリプラル、テトラヒドロリナロール、ベルドックス（verdox）、及びシス（cis）−３−ヘキセニルアセテートから選択される。
【００９３】
低い臭気検出スレッショルドを有し、２５０℃以上の沸点を有する残りの“注意すべき”香水原料は、これらに限定されないが、エチルメチルフェニルグリシデート、エチルバニリン、ヘリオトロピン、インドール、メチルアントラニレート、バニリン、アミルサリシレート、及びコウマリンから選択される。さらに、２５０℃以上の沸点を有し、低い臭気検出スレッショルドを有する一般的に知られている残りの香水原料は、アンブロックス、バクダノール、ベンジルサリシレート、ブチルアントラニレート、セタロックス（cetalox）、エバノール、シス−３−ヘキセニルサリシレート、リリアール、ガンマウンデカラクトン（gamma undecalactone）、ガンマドデカラクトン、ガンマデカラクトン、カリン、シマール、ジヒドロイソヤスモナート、イソエウゼノール、リラール、メチルベータナフチルケトン、ベータナフトールメチルエーテル、パラヒドロキシルフェニルブタノール、８−シクロヘキサデセン−１−オン、オクソシクロヘキサデセン−２−オン／ハバノリド、フロルヒドラール、及びイントレレベン（intrekeven）アルデヒドを含む。
【００９４】
高い臭気検出スレッショルドを有し、２５０℃以上の沸点を有し、本発明に有用な他の“注意すべき”香水原料は、これらに限定されないが、エウゼノール、アミルシナミック（amyl cinnamic）アルデヒド、ヘキシルシナミックアルデヒド、ヘキシルサリシレート、メチルジヒドロヤスモネート、サンダロア（sandalore）、ベロウトン（veloutone）、ウンデカベルトール、エキサルトリド／シクロペンタデカノリド、ジンゼロン、メチルセドリロン、サンデラ、ジメチルベンジルカルビニルブチレート、ジメチルベンジルカルビニルイソブチレート、トリエチルシトレート、カシメラン（cashmeran）、フェノキシエチルイソブチレート、イソエウゼノールアセテート、ヘリオナール、イソＥスペル（iso E sper）、ガンマメチル、ペンタリド、ガラクソリド、及びフェノキシエチルプロピネートから選択される。
【００９５】
（水及びｐＨ）
水は、９９．９９９％以下のレベルで存在するべきである。水は、脱イオン化され、又はフィルターされて金属及び有機炭素を含む不純物が除去され、又は逆浸透により純化され、又は蒸留により純化され、又はこれらの任意の組合せによるものである。純化された水は、ナトリウム陽イオン交換、水素陽イオン交換、逆浸透、活性炭素処理、ＵＶ光処理、ＵＶＣ、オゾン処理、塩素処理、ウルトラフィルター（限界ろ過）処理、ナノフィルター処理、電気透析、及びその組合せから成る群から選択される処理によって与えられる。この処理中、次亜塩素酸によって酸化される化合物の導入（これは、数ｐｐｍの損失が重大となる低濃度においてより重要となる）を防止するため、衛生と偏析を必要とし得る。
【００９６】
組成物は、ｐＨ調整剤を使用してｐＨ調整され得る。適当なｐＨ調整剤は、二酸化炭素、アルカリ金属カルボネート、アルカリ金属バイカルボネート、アルカリ金属シリケート、アルカリ金属ヒドロキシド、アルカリホスフェート塩、アルカリン土ホスフェート塩、アルカリボレート塩、ヒドロクロリックアシッド、ニトリックアシッド、スルフリックアシッド、アルカリ金属ヒドロゲンスルフェート、アセチックアシッド、様々なソースからの酢、他のカルボキシリックアシッド、ポリカルボキシレート、有機スルホニックアシッド、スルファミックアシッド、アミン、アルキルアミン、ジアルキルアミン、及びトリアルキルアミンを含む。組成物のｐＨは、１〜１３の範囲にあり得る。組成物のｐＨは、２〜１２の範囲にあり得る。組成物のｐＨは、２〜５の範囲にあり得る。組成物のｐＨは、５〜８の範囲にあり得る。組成物のｐＨは、６〜８の範囲にあり得る。組成物のｐＨは、６〜７．５の範囲にあり得る。組成物のｐＨは、９〜１３の範囲にあり得る。組成物のｐＨは、１０〜１２の範囲にあり得る。
【００９７】
（使用方法）
組成物は、空気中に分散され得る。組成物は、霧吹き、気化器、ネビュライザー、レーザー発生スリット付きホース、又はスプレーデバイスを使用して分散され得る。組成物は、加湿器などで連続的に供給され得る。組成物は、タイマー付きキャニスター（canister）などでパルス的に供給される。酢プレイデバイスの一例が特許文献３２で説明されている。組成物は、皮膚表面へ適用し得る。組成物は、様々な容器（例えば、二重チャンバーボトル、トリガースプレーボトル、エーロゾルキャニスター、ブリーチペン（bleach pen））から供給され得る。
【００９８】
組成物は、ガラス、ＡＢＳ、ポリカルボネート、高濃度ポリエチレン、低濃度ポリエチレン、高濃度ポリプロピレン、低濃度ポリプロピレン、ポリエチレンテレフタレート、又はポリビニルクロリドからなる様々な容器で保管又は運搬され得る。様々な添加物が組成物の安定性に影響し得る。例えば、ポリエチレン樹脂の濃度が、短鎖アルキレン（例えば、ブテン、ヘキセン又はオクテン）でコポリマー化させるにより変性され得る。染色剤、ＵＶブロッカー、不透明化剤、抗酸化剤（例えば、束縛フェノール（例えば、ＢＨＴ、Ｉｒｇａｎｏｘ１０１０（Ciba-Geigy A. G.）、Ｉｒｇａｎｏｘ１０７６（Ciba-Geigy A. G.）、Ｉｏｎｏｌ（Shell Chemical Co.）））のような様々な他の添加物を添加できる。離型剤及び可塑剤が、特に他のタイプのプラスチックに添加され得る。容器は、保管安定性を増大させるために、バリアーフィルムを有し得る。適当なバリアーフィルムは、ナイロン、ポリエチレンテレフタレート、フッ素化ポリエチレン、及びＢａｒｅｘ（British Petroleumから入手可能なメチルメタクリレート及びアクリロニトリルのコポリマー）を含み得る。
【００９９】
組成物は、布、ベッド、室内装飾材、カーテン及びカーペットのような軟質表面に適用され得る。組成物は、軟質表面に、スプレーやワイピングにより適用でき、また直接的に適用でき、浸漬、又は洗濯プロセス中に適用し得る。
【０１００】
組成物は、キッチン表面、風呂表面、壁、床、屋外表面、自動車、台、食物接触面、おもちゃ、食物（フルーツ及び野菜を含む）を含む硬質表面に適用され得る。組成物は、硬質表面に、スプレー又はワイピングにより適用でき、また直接的に適用でき、浸漬又は通常のクリーニングプロセス中に適用できる。
【０１０１】
組成物は、皮膚や空洞内部を含む人間及び動物の表面に適用され得る。組成物は、低い皮膚敏感性を有し、口又は吸入により適用され得る。組成物は、組成物は、人間及び動物の表面に、スプレー又はワイピングにより適用でき、また直接的に適用でき、浸漬又は通常の処理プロセス中に適用できる。組成物は、濃厚ゲルで適用され得る。組成物は、適用部に直接的に適用できるブリーチペンのようなデバイスを使用して適用され得る。組成物は、傷の手当てをするように適用され得る。
【０１０２】
組成物は、床、コーナー、家具、窓、壁を含む屋内表面及び自動車に不織布基材、布又はクリーニングパッドで適用され得る。組成物は、幼児や、おのちゃ、ボトル、おしゃぶり等の玩具に適用され得る。組成物は、不織布基材、ブラシ、スポンジ、布又はクリーニングパッドで、皮膚及び空洞内部を含む人間及び動物表面に適用され得る。他の表面は、ステンレス鋼、クローム及びシャワー室内を含み得る。不織布基材、布又はクリーニングパッドは、キャニスター、チューブ等と一緒に又は別個にパッケージングされ得る。不織布基材、布又はクリーニングパッドは、手、又はツール又は自動ツールに取り付けたクリーニング具（例えば、ハンドルを有するもの）で使用され得る。不織布基材、布又はパッドを使用するツールの例が、特許文献３３、３４、３５に記載されている。
【０１０３】
例えば、人間及び動物表面に使用するため、組成物は濃厚化され得る。組成物は、界面活性剤濃厚法、ポリマー濃厚法又は他の手段を用いて濃厚化され得る。濃厚化により、適用をより制御でき、またデバイスからの適用を制御できる。組成物は、４０〜１００００ｃｐｓの粘度に濃厚化され得る。濃厚化及び非濃厚化組成物の例が、特許文献３６〜５０に記載されている。
【０１０４】
電解電池での塩化物の陽極の酸化は、次亜塩素酸塩、亜塩素酸塩、塩素酸塩、及びペルクロレートを含む多数のオキシ塩素を発生させる。亜塩素酸塩は、塩素酸塩へ酸化される。ペルクロレートは、その低反応性、高移動度及びチロイド昨日の抑制性のため、不所望な環境汚染物質であり得る。水の塩素化を介する次亜塩素酸塩の製造は、ペルクロレートの形にならない。この方法は、少量のペルクロレートを不所望とする使用において利点があり得る。
【０１０５】
組成物は、固形組成物と水とを混合することによって調製され得る。固形組成物は、タブレット、顆粒組成物、ペースト又は他の固形組成物であり得る。組成物は、液体組成物を水で希釈することによって調製され得る。水は、純水であり得る。組成物は、例えば、二重チャンバー容器または二重チャンバースプレーボトルから、二つの液体を混合することによって調製され得る。
【０１０６】
本発明の組成物は、使用前に、水道水又は高い純度の水で希釈され得る。保管のための希釈組成物（例えば、ボトルで予め希釈される）の調製は、より高い純度の水を必要とし得る。このより高純度の水は、例えば、蒸留、フィルター、ナトリウム陽イオン交換（軟水）、水素陽イオン交換（陽イオン交換せずに脱イオン化した水）、逆浸透、活性炭素処理、ウルトラフィルター、ナノフィルター、電解、及びＵＶ光処理を含む様々なプロセスによって得ることができる。
【０１０７】
本発明の組成物は、使用前に、濃縮駅又は固体組成物から希釈され得る。例えば、選択的に界面活性剤又は他の添加物を含む有効塩素量の濃度５．２５％の液体ナトリウム次亜塩素酸塩は、５００ｐｐｍ以下の有効塩素量の濃度に希釈できる。固形次亜塩素酸塩又は次亜塩素酸塩を有するタブレット又はパウダーは、水に分解して５００ｐｐｍ以下の濃度の組成物になる。希釈可能な組成物の例は、特許文献４３、４４、４６、４７、５１〜５７に記載されている。
【０１０８】
本発明の組成物は、例えば、特許文献５８〜６２に記載されているようなマルチコンパートメント搬送システムの一部のように搬送できる。
【０１０９】
本発明の組成物は、水を純化し、消費の際に水を安全にするように使用できる。本発明の組成物は、食物を洗い、食物接触表面をクリーニングし、毒を安全にクリーニングするために使用できる。これは、食物安全成分、ＧＲＡＳ成分、又は毒性の影響が低い成分を含み得る。この使用方法及び可能な組成物が特許文献６３〜６８に記載されている。
【０１１０】
本発明の組成物は、医用機器を殺菌するために使用できる。希釈次亜塩素酸塩は、濃縮次亜塩素酸塩と比較して、チューブや他の敏感な部分を脱色したり、劣化させない。組成物は、腎臓透析機に使用され、又は歯内治療洗浄剤として使用できる。本発明の組成物は、腫瘍細胞に作用させて腫瘍細胞を殺すために使用できる。
【０１１１】
本発明の組成物は、農業（例えば、土地上又は容器内の、種及び苗木処理、果樹の休眠中の枝、保管穀草処理、収穫後の植物の枝、肥料の処理、運搬のための処理、保管、店頭でのディスプレイ、輸出入のための処理、及び防虫）に使用できる。本発明の組成物は、精肉業、家禽業、乳製品業、海産物業及び養殖業において使用でき、例えば、器具の処理、生簀の処理、卵及び容器への適用、肉及び容器への適用、搬送処理、保管、店頭でのディスプレイ、輸出入の処理、防虫処理、動物への感染処理（乳房の処理を含む）、乳搾り器具、生産ライン、及び容器への適用に使用できる。本発明の組成物は、防虫処理等のホームセキュリティーに使用できる。
【０１１２】
本発明の組成物は、カットした花及び他の植物を維持させるために使用できる。本発明の組成物は、茎、離層、花及び葉の劣化の原因となる微生物の成長を防止するために使用できる。本発明の組成物は、カットしたフルーツ及び野菜（カットしたメロン、イチゴ、ポテト等）の鮮度を長持ちさせるために使用できる。本発明の組成物は、新鮮なイチゴ並びに他のフルーツ及び野菜から肝炎ウイルスＡ型を絶滅させるために使用できる。本発明の組成物は、サルモネラ菌等のような食物病の広がりを抑制するため、アルファルファ、小麦、及び全ての他の食用植物を含む様々な植物の種を処理する農作業で使用できる。本発明の組成物は、かびで汚れた靴を洗浄するために使用できる。本発明の組成物は、スポンジ、布、紙タオル及び他の不織布品と共に使用して、軟質及び硬質表面からかび、バクテリア及びウイルスを除去、滅菌し、クリーニングできる。本発明の組成物は、スプレー又はワイピング（拭き取り）品として使用できる。本発明の組成物は、学校の硬質表面上の病原菌の広がりを抑制するために使用できる。本発明の組成物は、刑務所内での肝炎の感染を抑制するために使用できる。本発明の組成物は、洗濯物に使用して、病原菌を殺菌することができる。本発明の組成物は、福祉センターや公共のジムで長期間使用でき、例えば、スプレーや布拭きで硬質表面に適用して、周囲の表面や人間を介して伝わる病原菌を殺菌することができる。本発明の組成物は、タオルや病原菌の付いた他の物品を殺菌するために洗濯物に使用できる。本発明の組成物は、公共の場所で使用でき、例えば、公園、道路などの公共施設に広くスプレーして、ＳＡＲＳ、カリチウイルス、エンテロウイルス、ＦＭＤ及び他のウイルスのような病原菌を抑制できる。本発明の組成物は、布拭き又はスプレーにより全ての周囲の表面を殺菌できる。本発明の組成物は、船舶で使用でき、例えば、ノルウォーク（norwalk）ウイルス、カリチウイルス及びインフルエンザウイルスの広がりを抑制するために使用できる。本発明の組成物は、サルモネラ及びカンピロバクターによる汚染を抑制するために使用できる。本発明の組成物は、生物化学兵器から保護でき、例えば、アントラックス、ＢＴ、サリン、スモールポックス、ＳＡＲＳ等が潜在的に存在する場合に人間（兵隊、救命隊など）にスプレーできる。本発明の組成物は、軍事車両、航空機等を殺菌するために使用できる。本発明の組成物は、伝染性病原菌の広がりを抑制するために使用でき、例えば、航空機（内部及び外部）、電車、バス及び全ての交通手段を殺菌して病原体の広がりを抑制できる。本発明の組成物は、空孔や他の入口で靴（ワイピング（拭き取り）又はスプレー）を殺菌するために使用できる。本発明の組成物は、無視の駆除に使用でき、例えば、スプレーによりナメクジや他の虫を殺虫するために使用できる。本発明の組成物は、シラミを駆除するために使用できる。本発明の組成物は、動物及び虫の病原体を抑制するために使用でき、例えば、硬質及び軟質表面上の動物及び鳥のウイルスを抑制するために使用できる。このようなウイルスは、ＳＡＲＳ、バードフルーウイルス（bird flu virus）、カリチウイルス、牛病原ウイルス、パルボウイルス（parvovirus）、ねこ��イルス等を含む。また、本発明の組成物は、乳頭に適用してウイルスの伝染を抑制するために使用できる。
【０１１３】
本発明の組成物は：液体組成物封入容器；使用説明書一式；及び次亜ハロゲン酸、次亜ハロゲン酸塩、及びその混合物から成る群から選択されるアレルゲン消毒剤を含む液体組成物を含む製造物品の一部であり得る。使用説明書一式は、純又は希釈液体組成物を適用してアレルギー反応を防止したり、病気を防止するための、硬質表面、軟質表面及び空気から成る群から選択されるターゲットに接触させるための使用説明書を含む。
【０１１４】
本発明の組成物は、製造物品の一部であり、前記使用説明書に加えられる事項は、健康的、より健康的、発病低減、屋内病気感染抑制、病気から家族を保護、家庭の健康維持、家庭を良好に維持、家庭内病気感染防止、発病の危険性を低減、及びその組合せから成る群から選択される事項を含む付加的な事項を伝えるものであり得る。
【０１１５】
組成物は、製造物品の一部であり、使用説明書に加えられる事項は、かびアレルゲンを消毒、かび毒素を変性、かび毒を消毒、プロテインアレルゲンを消毒、アレルゲンの抑制、クリーニングによるアレルゲンの除去、ワイピング（拭き取り）によるアレルゲンの除去、洗濯によるアレルゲンの除去、呼吸器の病気を低減、風邪の低減、かびアレルゲンの変性、アレルギー反応の防止、人間のアレルギー反応の防止、かび等によるアレルギーの兆候を防止、かび菌を殺菌、かび胞子の殺菌、かび由来の人間のアレルギー過敏を防止、かび由来の動物のアレルギー過敏を防止、かび由来のアレルギー過敏のリスクを低減、かび由来のアレルギー反応のリスクの低減、アレルギーを引き起こすかび胞子の殺菌、かび菌の消毒、及びかびによる炎症の防止から成る群から選択される事項を含む付加的な事項を伝えるものであり得る。
【０１１６】
組成物は、製造物品の一部であり得る。製造物品は、使用説明書一式を含み得る。使用説明書一式は、容器、及び次亜ハロゲン酸、次亜ハロゲン酸塩及びその混合物を含むアレルゲン消毒剤を含む液体組成物を含む製造物品を使用するために公衆に与えられるものである。使用説明書一式は、アレルギー反応を防止したり、病気を防止するために、純又は希釈液体組成物で、硬質表面、軟質表面及び空気から成る群から選択されるターゲットに接触させるための使用説明を含む。使用説明書は、次亜ハロゲン酸塩組成物を含む液体組成物で病気の広がりを防止することに関するものであり得る。公衆への使用説明方法は、アレルギー反応が花粉、ほこりダニ又はかびアレルゲンに反応する情報を含み得る。使用説明書一式は、電子及び／又はプリントメディアを介して公衆に与えられ得る。使用説明書一式は、販売所から郵送され得る。使用説明書一式は、上記の液体組成物、上記のターゲット表面及びその組合せから成る群から製品に関連したアドレスでコンピューターネットワーク上で送ることができる。
【０１１７】
次亜ハロゲン酸、次亜ハロゲン酸塩及びその混合物から成る群から選択されるアレルゲン消毒剤を含む液体組成物の使用を促進する方法は、アレルギー反応及び／又は病気を防止するための使用説明書を含み得る。この方法は、前記組成物で、硬質表面、軟質表面及び空気から成る群から選択されるターゲットを処理することによって、アレルギー反応及び／又は病気が低減及び／又は防止されるという情報を公衆に与える工程を含む。組成物の使用を促進する方法は、電子及び／又はプリントメディアを介して消費者に情報を与える工程を含み得る。
【０１１８】
組成物の使用は、動物のアレルギー反応をテストするための方法を含み得る。このテスト方法は、次亜ハロゲン酸、次亜ハロゲン酸塩及びその混合物から成る群から選択される組成物で処理したアレルゲンを皮下注入する工程を含む。
【０１１９】
（実施例）
表１は、希釈次亜塩素酸塩溶液が、ほぼ中性のｐＨで、特に、金属イオン、塩及び全有機炭素（ＴＯＣ）（表２）から比較的フリーな水で希釈したときに、良好な安定性を有することを示す。濃縮次亜塩素酸ナトリウムの諸基の脳℃は６．２４％次亜塩素酸ナトリウムであり、安定サンプルは、１７４ｏｚ．Ｃｌｏｒｏｘ（登録商標）ブリーチボトルに保管された。
【０１２０】
【表１】
2007530731.tif 000002
【０１２１】
【表２】
2007530731.tif 000003
【０１２２】
表３は、希釈次亜塩素酸塩溶液が、ほぼ中性のｐＨで、特に金属イオン及び塩から比較的フリーな水で希釈したときに、良好な安定性を有することを示す。また、この溶液は、ピロホスフェート及びオルトホスフェートのようなキレート剤を含むことで良好な安定性を有する。濃縮次亜塩素酸ナトリウムの初期濃度は６．４４８％次亜塩素酸ナトリウムであった。
【０１２３】
【表３】
2007530731.tif 000004
【０１２４】
表４は、不純物を含む本発明の組成物を示す。低い不純物濃度は、組成物の安定性を向上できる。幾つかの場合、不純物の初期濃度がより高く、この不純物は、長時間にわたって低反応性又は不活性である。これらの場合、組成物は、時間経過とともにその安定性を増大し得る。
【０１２５】
【表４】
2007530731.tif 000005
【０１２６】
表５は、ほこりダニアレルゲンが、希釈次亜塩素酸塩溶液で、５ｐｐｍ有効塩素量へ効果的に変性されることを示す。４ｐｐｍの希釈次亜塩素酸塩溶液で得られるｐＨは６．５１であった。また、組成物は、３０秒内でアレルゲンに対して有効であった。
【０１２７】
製品効能スクリーニングが、アンチボディーカプチャ（antibody capture）ＥＬＩＳＡ（ここで、組換型抗原がポリスチレンにコーティングされ、製品は、所定のウエル（well）に直接的に加えられ、選択した時間の間培養され、ウエルを処理した製品の結果が、無処理ウエルのものと比較され、濃度が標準曲線に対して計算される）を使用して行われた。この方法は、抗原カプチャＥＬＩＳＡと異なり、アンチボディ−抗原複合物に影響を与える製品干渉が考慮されていない。これは、製品が抗原／アレルゲンに直接的に加えられ、ウエルが過剰な製品で洗われ、アンチボディが抗原の残り部分に培養されるからである。プロテイン切断がＳＤＳ−ＰＡＧＥ法により示され、アレルギー反応（アンチボディの抗原への結合）の損失がウエスタン・ブロット（Western blot）（免疫性ブロット）で観察された。
【０１２８】
【表５】
2007530731.tif 000006
【０１２９】
表６は、希釈次亜塩素酸塩が、ぶどう球菌に対する有効性で測定されるような殺菌処理に効果があることを示す。テストは、ＡＯＡＣ殺菌スプレー製品テスト方法（ＡＯＡＣ９６１．０２、第１５エディション、ＳＯＰ番号：００１−０５７−０６）を用いて行った。ＡＯＡＣ合成流体培養基で培養したぶどう球菌の約４８時間懸濁液がテストに使用された。培養濃度は、ターゲットの４×１０４／スライド（一旦乾燥）を超えるように調節された。有機肥料で行うため、別のバクテリア懸濁液が胎児乳精で調製された。ここで、乳精は５％であった。０．０１ｍｌの量だけ、ガラススライド毎に接種された。無菌湾曲ニードルが、エッジから１／８”内に接種材料を注入するために使用された。各接種材料のため、スライドは、完全に乾燥するまで、３５℃定温器で乾燥された。テストの前に、ボトルキャップが、スプレートリガーと交換された。トリガーが引かれ、テストが、２〜３秒の間、汚染表面にスプレーすることによって開始された。この表面は、３〜４回吹き付けることによって完全にウエット状態になった。１回の吹き付けで２．２４ｇ〜。９０ｇの製品が分散された。汚染表面にピペットで移されるサンプルのため、分散量は、２．５ｍｌ／スライド（フィルターペーパー有り）と５ｍｌ／スライド（フィルターペーパー無し）との間であった。
【０１３０】
【表６】
2007530731.tif 000007
【０１３１】
表７は、組成物が様々なウイルス及び胞子を殺菌するのに有効であることを示す。
【０１３２】
【表７】
2007530731.tif 000008
【０１３３】
組成物は、かびの成長を抑制するのに有効である。ペトリ皿でペニシリンかびに対してテストした希釈次亜塩素酸は、成長を抑制した。
【０１３４】
希釈次亜塩素酸塩組成物は、臭気の抑制に有効である。希釈次亜塩素酸塩は、臭気発生バクテリアを殺菌し、臭気分子自体を酸化させ、より小さい臭気無しの成分に分解することによって臭気を抑制できる。最初のテストが、小さいプラスチック容器とニンニク液を使用して行われた。室温でニンニク液を二つのプラスチック容器内に滴下し、１０分間放置した。次に、これら容器を開放し、一方に希釈次亜塩素酸塩をスプレーし、他方に水をスプレーした。次に、これら容器を閉じ、再び１０分間放置した。次に、容器のコーナーを開放して内容物の臭いを確かめた。希釈次亜塩素酸塩をスプレーした様基は、水をスプレーしたものよりもニンニク臭が少なかった。
【０１３５】
本発明の組成物は、他の次亜塩素酸塩組成物と比較して、繊維に与えるダメージを小さくできる。湿気をおびるまで、綿、ナイロン及びウールに希釈次亜塩素酸塩をスプレーした。テストは、スプレー回数２０以上まで繰り返された。視覚的なダメージが全く観察されなかった。細長い易漂白性の青色染めの綿（Intralite Turquoise GL）を希釈次亜塩素酸塩溶液に漬けた。この細長い綿は、数時間の間、全く色落ちしなかった。長時間漬けておくと幾らかの漂白が観察され、２４時間後に容易に観察できるようになった。
【０１３６】
本発明の組成物は、溶液中で、コウジカビの胞子を殺菌でき、コウジカビの抗原を不活性にできることを見出した。この組成物は、また、硬質表面でテストされた。本発明の組成物が、水（無）と比較して乾燥壁６ログ（log）でのかび成長を低減することを見出した。本発明の組成物が、水（無）と比較して合板６ログでのかび成長を低減できることを見出した。本発明の組成物が、人間のアレルギー反応のテストを行った。このテスト方法は、組成物で処理したアレルゲンを皮下注射することを含む。
コウジカビに対して陽性の皮膚刺激性を有するテスト体に皮膚刺激テストを行うことによってオリエンテッドストランドボード（oriented strand board）で処理した残留物を評価した。
【０１３７】
このテストにより、本発明の組成物が、アレルゲンによる呼吸器疾患を低減又は防止し、アレルゲンを低減又は防止することを示唆する結果が得られた。
【０１３８】
本発明は、新規な原理に関連した情報を当業者に与え、要求される特別な成分を佼成し使用するために詳細に説明した。しかし、本発明が異なった機器、材料及びデバイスにより実施できること、及び様々な変更物及びプロセスが本発明の範囲を逸脱せずになされ得ることが理解できる。このような変更物は特許請求の範囲の等価物の範囲にあるものである。
【国際調査報告】
2007530731.tif 000009